(57)【要約】  状況に応じて芳香の無駄な発散や端末周囲への影響を回避することができる通信端末装置。この通信端末装置（１００）は、センシング部（１５０）の芳香センサ（１５１）、カメラ（１５３）、マイク（１５４）、光センサ（１５５）、及び位置センサ（１５６）等で携帯端末本体（１００Ｂ）の周囲の状況を検出し、このセンシング部（１５０）で検出した携帯端末本体（１００Ｂ）の環境情報に基づいて、制御部（１３０）の発散／消臭制御（１３１）により芳香発散部（１４１）の芳香発散制御を行う。これにより、携帯端末本体（１００Ｂ）の周囲の状況に応じて、芳香の無駄な発散や端末周囲への影響を極力抑えることができる。
2009001431.tif 000002
【特許請求の範囲】
【請求項１】
所定の発散要求により芳香を発散する芳香発散部と、
前記芳香発散部により前記芳香を発散する環境の環境情報を取得するセンシング部と、
前記センシング部により取得した前記環境情報に基づいて前記芳香発散部による前記芳香の発散を制御する発散制御部と、
を具備する通信端末装置。
【請求項２】
前記センシング部は、前記芳香の発散対象を検出する発散対象検出センサを備え、
前記発散制御部は、前記発散対象検出センサにより検出した前記発散対象に向けて前記芳香を発散させるように前記芳香発散部を制御する
請求項１に記載の通信端末装置。
【請求項３】
前記発散制御部は、前記発散対象検出センサが前記発散対象を検出できなかった場合に、前記芳香を拡散放出させるように前記芳香発散部を制御する
請求項２に記載の通信端末装置。
【請求項４】
前記センシング部は、前記芳香の発散対象に対する端末の方位及び距離を検出する位置センサと、前記端末周囲の風向きを検出する風向センサと、を備え、
前記発散制御部は、前記位置センサ及び前記風向センサの検出結果に応じて前記芳香発散部の前記芳香の発散速度及び拡散範囲を制御する
請求項２に記載の通信端末装置。
【請求項５】
前記芳香発散部は、前記芳香を発散するための複数の発散孔を備え、
前記発散制御部は、前記芳香発散部の前記複数の発散孔のうちの稼働させる発散孔を選択して前記芳香を発散させるように前記芳香発散部を制御する
請求項１に記載の通信端末装置。
【請求項６】
前記センシング部は、開閉式端末の開閉状態を検出する開閉センサを備え、
前記複数の発散孔は、前記開閉式端末を閉じた状態で前記芳香を外側に向けて放出する外面発散孔と、前記開閉式端末を開いた状態で前記芳香を手前側に向けて放出する内面発散孔と、からなり、
前記発散制御部は、前記開閉式端末の開閉状態に応じて前記外面発散孔または前記内面発散孔の何れかを選択する
請求項５に記載の通信端末装置。
【請求項７】
前記発散孔の孔形状は、可変自在に構成されている
請求項５に記載の通信端末装置。
【請求項８】
前記芳香発散部から発散する芳香原料の残量を検出する芳香原料残量センサを備え、
前記発散制御部は、前記芳香原料残量センサが検出した前記芳香原料の残量に応じて前記芳香発散部の前記芳香の発散距離及び拡散範囲を制御する
請求項１に記載の通信端末装置。
【請求項９】
前記芳香原料残量センサが検出した前記芳香原料の残量から、前記芳香の残りの発散回数を算出して報知する報知手段をさらに具備する
請求項８に記載の通信端末装置。
【請求項１０】
所定の発散要求によりスモークを発散する発煙部と、
前記発煙部により前記スモークを発散する環境の環境情報を取得する煙センサと、
前記煙センサにより取得した前記環境情報に基づいて前記発煙部による前記スモークの発散を制御する発煙制御部と、をさらに具備する
請求項１に記載の通信端末装置。
【発明の詳細な説明】
【技術分野】
【０００１】
本発明は、着信通知やスケジュール通知等を芳香の発散により通知する芳香発散機能を備えた携帯電話機等の通信端末装置に関する。
【背景技術】
【０００２】
近年、携帯電話機等の通信端末装置の分野では、通信エリアや通信速度といった基本的な機能だけでなく、“着メロ”“デザイン”などのように、“楽しい”“面白い”といった情緒面の付加価値を持たせることも重要になってきている。【０００３】
このような付加価値を持たせた携帯端末装置として、着信通知やスケジュール通知等を、芳香（におい）の発散によって通知するものがある（特許文献１参照）。これにより、ユーザは、携帯端末装置を身につけていない状態でも着信等の通知を認識できるようになる。また、着信相手又は受信メール内容に応じてエンターテイメント性を持たせて香りを楽しませる香り発生携帯電話機及びその利用方法がある（特許文献２参照）。これにより、端末に入力される情報を臭覚によって識別できるようになる。
【特許文献１】特開２００５−３１８３４５号公報
【特許文献２】特開２００２−２５２６８６号公報
【発明の開示】
【発明が解決しようとする課題】
【０００４】
しかしながら、前記従来の携帯端末装置や香り発生携帯電話機等の通信端末装置は、芳香の発散条件については多数挙げられているが、端末周囲の状況を何ら考慮せずに着信等の発散要求がある度に芳香を発散するため、端末周囲の状況によっては芳香が無駄に発散されてしまうおそれがあった。【０００５】
本発明は、状況に応じて芳香の無駄な発散や端末周囲への影響を回避することが可能な通信端末装置を提供することである。
【課題を解決するための手段】
【０００６】
本発明の通信端末装置は、所定の発散要求により芳香を発散する芳香発散部と、前記芳香発散部により前記芳香を発散する環境の環境情報を取得するセンシング部と、前記センシング部により取得した前記環境情報に基づいて前記芳香発散部による前記芳香の発散を制御する発散制御部と、を具備する構成を採る。
【発明の効果】
【０００７】
本発明によれば、センシング部により取得した環境情報に基づいて芳香発散部による芳香の発散を発散制御部で制御することができるので、状況に応じて芳香の無駄な発散や端末周囲への影響を回避することができる。
【図面の簡単な説明】
【０００８】
【図１】本発明の一実施の形態に係る通信端末装置の構成を示すブロック図
【図２】本発明の一実施の形態に係る通信端末装置の芳香制御要求処理の動作を示すフローチャート
【図３】本発明の一実施の形態に係る通信端末装置の芳香発散処理の動作を示すフローチャート
【図４】本発明の一実施の形態に係る通信端末装置の発散事前処理の動作を示すフローチャート
【図５】本発明の一実施の形態に係る通信端末装置の発散処理の動作を示すフローチャート
【図６】本発明の一実施の形態に係る通信端末装置の芳香発散停止（抑止）処理の動作を示すフローチャート
【図７】本発明の一実施の形態に係る通信端末装置の発散方法決定処理の動作を示すフローチャート
【発明を実施するための最良の形態】
【０００９】
電話やメール等の着信を芳香の発散により通知するように構成した従来の通信端末装置は、着信がある度に、単に芳香を発散するだけのものであった。このため、このような通信端末装置では、例えばユーザが端末から遠く離れた場所にいたり、強風などにより発散した芳香が直ぐにかき消されたりして、ユーザが芳香の発散に気付かないような場合でも芳香が発散されて芳香原料が無駄に消費されてしまうという問題があった。【００１０】
本発明は、このような点に鑑みて、例えば、通信端末装置の周囲の状況に応じて芳香の無駄な発散や端末周囲への影響を回避できるようにしたものである。【００１１】
以下、本発明の実施の形態について、図面を参照して詳細に説明する。なお、各図において同様の構成または機能を有する構成要素及び相当部分には、同一の符号を付してその説明は繰り返さない。【００１２】
図１に、本発明の一実施の形態に係る通信端末装置の構成を示す。この通信端末装置１００は、大きく分けて、芳香、スモーク及び消臭剤を発散する発散装置本体１００Ａと、無線通信を行う携帯端末本体１００Ｂと、の２つの部分で構成される。なお、発散装置本体１００Ａは、携帯端末本体１００Ｂと一体あるいは別体の何れの構成であってもよい。ここで、発散装置本体１００Ａを携帯端末本体１００Ｂと別体に構成する場合には、発散装置本体１００Ａを、例えば携帯端末本体１００Ｂの電源充電用の卓上ホルダ型充電器に組み込んだ構成、あるいはユーザが常時携帯可能な構成とするなど、ユーザが芳香の発散を速やかに認識できるように構成することが望ましい。【００１３】
図示の通信端末装置１００における発散装置本体１００Ａは、発散抑止部１１０、原料蓄積部１２０、を備えて構成される。発散抑止部１１０は、発散している芳香を抑止するための抑止手段である送風部１１１、吸引部１１２、消臭剤噴射部１１３、消煙剤噴射部１１４を備えている。送風部１１１は、発散される芳香を素早く吹き飛ばして芳香の発散を抑止する送風器（ファン）を備えている。吸引部１１２は、発散される芳香を素早く吸い込んで芳香の発散を抑止する吸引器を備えている。消臭剤噴射部１１３は、発散される芳香に消臭剤を噴射して芳香の発散を抑止する消臭剤噴射口を備えている。消煙剤噴射部１１４は、発散されるスモークに消煙剤を噴射してスモークの発散を抑止する消煙剤噴射口を備えている。ここで、芳香（又はスモーク）の抑止は、ユーザが予め設定して選択した抑止方法により行われる。例えば、送風部１１１により芳香（スモーク）を抑止する方法を選択した場合には、送風器（ファン）による送風処理が行われる。また、吸引部１１２により芳香（又はスモーク）を抑止する方法を選択した場合には、吸引器による吸引処理が行われる。また、消臭剤噴射部１１３により芳香を抑止する方法を選択した場合には、消臭剤噴射による消臭処理が行われる。さらに、消煙剤噴射部１１４によりスモークを抑止する方法を選択した場合には、消煙剤噴射による消煙処理が行われる。【００１４】
原料蓄積部１２０は、芳香原料１２１、発煙（スモーク）原料１２２、消臭剤１２３、消煙剤１２４を蓄積するための容器を備えている。ここで、芳香原料１２１の容器としては、例えば、ミント系、柑橘系、アロマ系などの複数の香料を個別に収容でき、かつ容易に交換可能なカートリッジタイプのものが好ましい。また、消臭剤１２３及び消煙剤１２４の容器としては、不燃性ガスにより消臭剤１２３及び消煙剤１２４を噴射するガスボンベが好ましい。【００１５】
一方、図示の通信端末装置１００における携帯端末本体１００Ｂは、制御部１３０、通知部１４０、センシング部１５０、無線部１６０、ユーザＩ／Ｆ１７０、タイマー１８０、メモリ１９０、を備えて構成される。制御部１３０は、発散／消臭制御部１３１、発煙／消煙制御部１３２、を備えている。発散／消臭制御部１３１は、原料蓄積部１２０の芳香原料１２１を通知部１４０の芳香発散部１４１から発散する際の発散制御、及び原料蓄積部１２０の消臭剤１２３を発散抑止部１１０の消臭剤噴射部１１３から噴射する際の消臭制御を行う。発煙／消煙制御部１３２は、原料蓄積部１２０の発煙（スモーク）原料１２２を通知部１４０の発煙部１４２から発煙する際の発煙制御、及び原料蓄積部１２０の消煙剤１２４を発散抑止部１１０の消煙剤噴射部１１４から噴射する際の消煙制御を行う。【００１６】
通知部１４０は、芳香発散部１４１、発煙部１４２、発音部１４３、表示部１４４、振動部１４５、発光部１４６、を備え、これらの何れかにより、着信等をユーザに通知する。芳香発散部１４１は、芳香を発散する発散孔を備え、発散／消臭制御部１３１の指令により原料蓄積部１２０の芳香原料１２１を発散孔から気中に発散することで着信等をユーザに通知する。発煙部１４２は、スモークを噴出する発散孔を備え、発煙／消煙制御部１３２の指令により原料蓄積部１２０の発煙（スモーク）原料１２２を発散孔からスモーク状にして噴出することで着信等をユーザに通知する。発音部１４３は、スピーカにより音声やメロディー（着メロ）を流すことで着信等をユーザに通知する。表示部１４４は、液晶パネルなどからなるディスプレイに着信情報等を表示することで着信等をユーザに通知する。振動部１４５は、バイブレータを振動させることで着信等をユーザに通知する。発光部１４６は、ＬＥＤなどの発光素子を点滅させることで着信等をユーザに通知する。【００１７】
なお、芳香発散部１４１の芳香を発散する発散孔は、芳香の発散量や発散方向を調整することができる構造を有している。例えば、この芳香発散部１４１の発散孔は、発散する芳香原料１２１の残量が少なかったり、端末周辺の環境が多量の芳香発散に適さなかったりする場合に、芳香の発散量を制限するように動作することができる。また、この発散孔は、芳香の発散方向が好ましくない場合に、この芳香の出力先を制限するように動作することができる。【００１８】
発煙部１４２の発散孔から噴出するスモークは、発散孔の近傍に配置した発光ダイオードにより着色可能な白色であることが好ましい。この発煙部１４２の発散孔は、芳香発散部１４１の発散孔と同様、発煙する発煙（スモーク）原料１２２の残量が少なかったり、端末周辺の環境が多量のスモークの発煙に適さなかったりする場合に、スモークの発散量を制限するように動作することができる。また、この発散孔は、スモークの発散方向が好ましくない場合に、このスモークの出力先を制限するように動作することができる。【００１９】
センシング部１５０は、芳香センサ１５１、煙センサ１５２、カメラ１５３、マイク１５４、光センサ１５５、位置センサ１５６、を備え、これらにより芳香を発散する環境の環境情報を取得する。芳香センサ１５１は、携帯端末本体１００Ｂの近傍に漂っている匂いの種類や移動方向などを検出し、検出結果を発散／消臭制御部１３１に送る。煙センサ１５２は、通信端末本体１００Ｂの近傍にスモークが漂っているか否かを検出し、検出結果を発煙／消煙制御部１３２に送る。カメラ１５３は、着信等を芳香発散により通知する通知対象ユーザが近傍にいるか否かをユーザの顔を撮像しているか否かで検出し、検出結果を制御部１３０に送る。マイク１５４は、携帯端末本体１００Ｂの近傍の風力や風向きを集音したノイズにより検出し、検出結果を制御部１３０に送る。光センサ１５５は、折り畳み方式の携帯端末本体１００Ｂの開閉状態や、携帯端末本体１００Ｂが屋内にあるか否かなどを受光光量の強弱により検出し、検出結果を制御部１３０に送る。位置センサ１５６は、携帯端末本体１００Ｂの現在位置をＧＰＳ機能により検出し、検出結果を制御部１３０に送る。【００２０】
無線部１６０は、携帯端末本体１００Ｂから送信する送信信号、及び通信相手から受信した受信信号を変復調して送受信し、送受信情報を制御部１３０に送る。ユーザＩ／Ｆ１７０は、携帯端末本体１００Ｂのモード設定やモード切り替えなどのユーザ設定（操作）情報を制御部１３０に送る。タイマー１８０は、ユーザにより予め設定された芳香の発散タイミングや発散時間、及びスモークの噴出タイミングや噴出時間などを計測し、計測結果を制御部１３０に送る。メモリ１９０は、芳香の発散履歴やスモークの噴出履歴などを記憶し、ユーザ要求に応じて記憶情報を制御部１３０に送る。【００２１】
なお、この通信端末装置１００においては、芳香発散部１４１、発煙部１４２、芳香センサ１５１及び煙センサ１５２を、通信端末本体１００Ｂ側に設けた構成を採っているが、これらは発散装置本体１００Ａ側に設けてもよい。【００２２】
また、この通信端末装置１００における芳香発散方式としては、
（１）芳香の発散孔を電磁弁により開閉して芳香発散及び芳香停止を行う電磁弁開閉式
（２）芳香原料１２１を染み込ませたシートの加熱／冷却により芳香発散及び芳香停止を行う加熱／冷却方式
（３）芳香原料１２１を注射針により濾紙に染み込ませて芳香発散を行う濾紙注入方式
（４）芳香原料１２１を高圧ガスが封入されたノズル噴射ボンベに収容し、ノズルの押下により芳香発散を行うノズル噴射式
などの何れの方式であってもよいが、芳香の発散制御をより高精度に行うには、上記の（４）ノズル噴射方式を採ることが好ましい。【００２３】
次に、本例の通信端末装置１００の動作について説明する。この通信端末装置１００では、マナーモード設定、混合発散設定、発散保留設定、香料混合パラメータ設定、タイマー設定、などの各種の設定を行う。【００２４】
マナーモード設定では、ユーザへの着信等の通知を“着メロ”や“芳香発散”などで行った場合、他者に迷惑を掛けたり芳香原料１２１が無駄に消費されたりするおそれがある状況のときに、他者の迷惑や芳香原料１２１の無駄な消費を防止できる他の通知方法で着信等の通知を行うようにユーザ操作により設定する。この通信端末装置１００においては、このマナーモード設定により、ユーザへの着信時の通知設定を、振動部１４５のバイブレータの駆動（振動）や、発光部１４６の発光素子（ＬＥＤ）の点滅等で通知するマナーモードに切り替えるようにしている。【００２５】
混合発散設定では、複数の芳香原料１２１を混合した芳香を生成して発散するように通信端末装置１００の動作設定を行う。なお、ここでは、説明の便宜上、単一の芳香原料１２１を用いて芳香を生成する場合も含むものとする。【００２６】
発散保留設定では、ユーザ設定による芳香発散が不可能な場合、例えば通信端末装置１００が芳香の発散条件を満たしていないと判定した場合に、芳香の発散を保留するように通信端末装置１００の動作設定を行う。ここで、通信端末装置１００が芳香の発散条件を満たしているか否かの判定は、例えば、ユーザ操作によりマナーモードを設定しているか否か、及びセンシング部１５０の各センサで検出した携帯端末本体１００Ｂの環境情報が芳香の発散に適した環境条件を満たしているか否か、などによって判断する。なお、ここでは、このような発散保留設定が行われる場合の条件を保留条件ということとする。この発散保留設定は、上記保留条件であるマナーモード設定が解除され、かつ携帯端末本体１００Ｂの環境が芳香の発散に適した環境条件を満たすまで維持される。【００２７】
香料混合パラメータ設定では、複数の芳香原料１２１を混合した芳香を発散する場合に、複数の芳香原料１２１の中から選択した複数の香料を、どのような比率で混合するかという混合条件（混合パラメータ）を設定する。【００２８】
タイマー設定では、予め芳香の発散パターンが用意されている場合に、この発散パターンに対応する芳香原料１２１の発散／停止のタイミングや発散間隔などを設定する。【００２９】
本例の通信端末装置１００においては、芳香制御要求処理、芳香発散処理、発散事前処理、発散処理、芳香発散停止（抑止）処理、などの処理が適時実行される。【００３０】
図２に、芳香制御要求処理の動作フローを示す。この芳香制御要求処理では、まず、芳香発散要求の有無を判断する（ステップＳＴ２０１）。芳香発散要求の有無は、例えば、ユーザが着信時などの通知を芳香の発散で行うように設定している場合に、無線部１６０が電話やメール等の着信信号を受信したか否か、つまり無線部１６０から制御部１３０への着信信号入力の有無で判断する。なお、ユーザが芳香の発散テストを行う場合には、芳香発散要求の有無を、ユーザＩ／Ｆ１７０から制御部１３０への芳香発散テスト信号入力の有無で判断する。【００３１】
ステップＳＴ２０１で芳香発散要求なしと判断した場合には、芳香の発散を抑止するための芳香発散停止（抑止）処理を行う（ステップＳＴ２０２）。また、ステップＳＴ２０１で芳香発散要求ありと判断した場合には、芳香を発散させるための芳香発散処理を行う（ステップＳＴ２０３）。【００３２】
まず、ステップＳＴ２０１で芳香発散要求ありと判断して、ステップＳＴ２０３の芳香発散処理がスタートした場合について説明する。図３に、この芳香発散処理の動作フローを示す。【００３３】
この芳香発散処理では、まず携帯端末本体１００Ｂの着信時におけるユーザへの通知設定がマナーモードに設定されているか否か判断する（ステップＳＴ３０１）。ここで、通知設定がマナーモードに設定されていると判断した場合には、マナー動作（マナーモード時の端末動作）に関する端末設定情報（ユーザ設定）を取得するためのマナーモード中の動作情報取得処理を行う（ステップＳＴ３０２）。【００３４】
一方、ステップＳＴ３０１で、通知設定がマナーモードに設定されていないと判断した場合には、前回の発散処理による芳香が現在発散中か否か判断する（ステップＳＴ３０３）。ここで、前回の発散処理による芳香が現在発散中と判断した場合には、芳香発散動作（芳香発散時の端末動作）に関する端末設定情報（ユーザ設定）を取得するための発散中の動作情報取得処理を行う（ステップＳＴ３０４）。【００３５】
次いで、ステップＳＴ３０２のマナーモード中の動作情報取得処理、又はステップＳＴ３０４の発散中の動作情報取得処理により取得した動作情報から、ユーザ設定による芳香発散が可能か否か、つまり発散ＯＫか否か判断する（ステップＳＴ３０５）。ここで、発散ＯＫと判断した場合には、上述の混合発散設定により、例えば現在発散中の芳香原料１２１に今回新たに発散する芳香原料１２１を混合して芳香を発散するように通信端末装置１００の動作設定を行う（ステップＳＴ３０６）。【００３６】
一方、ステップＳＴ３０５で、発散ＯＫではない（発散ＮＧ）と判断した場合には、今回の芳香発散を保留するか否か判断する（ステップＳＴ３０７）。ここで、ユーザが今回の芳香発散を保留する選択をした場合には、上述の発散保留設定により、今回の芳香発散を保留するように通信端末装置１００の動作設定を行う（ステップＳＴ３０８）。一方、ステップＳＴ３０７で、ユーザが今回の芳香発散を保留しない選択をした場合には、ステップＳＴ２０１での芳香発散要求を破棄して（ステップＳＴ３０９）、芳香発散処理を終了する。【００３７】
次いで、ステップＳＴ３０６の混合発散設定、及びステップＳＴ３０８の発散保留設定が完了した後、又はステップＳＴ３０３で、前回の発散処理による芳香は発散中ではないと判断した場合には、発散事前処理を行い（ステップＳＴ３１０）、その後、発散処理を行って（ステップＳＴ３１１）、芳香発散処理を終了する。【００３８】
このように、この芳香発散処理では、ユーザ設定による芳香発散可否の確認と、通信端末装置１００が芳香発散状態か否かを確認し、今回の発散要求に対し、芳香を発散するのか、保留するのか、発散要求を破棄するのかを決定する。【００３９】
次に、ステップＳＴ３１０の発散事前処理について説明する。図４に、この発散事前処理の動作フローを示す。この発散事前処理では、まず、芳香発散時のユーザ設定情報を取得するためのユーザ設定取得処理を行い（ステップＳＴ４０１）、次いで、端末状態情報を取得するための端末状態取得処理を行う（ステップＳＴ４０２）。【００４０】
ステップＳＴ４０１のユーザ設定取得処理では、芳香を発散する際のユーザ設定、例えば、発散する芳香の種類、芳香の発散量、芳香の発散方向（芳香発散部１４１の発散孔の向きにより調整される）、芳香の発散パターン、などを取得する。【００４１】
また、ステップＳＴ４０２の端末状態取得処理では、通信端末装置１００の状態、例えば、携帯端末本体１００Ｂのスタイル（開閉状態）、原料蓄積部１２０の芳香原料１２１の残量、携帯端末本体１００Ｂの周辺の環境（周辺情報）、などをセンシング部１５０の各センサの検出結果から取得する。【００４２】
次いで、ステップＳＴ４０２の端末状態取得処理が完了した後、センシング部１５０の芳香センサ１５１が起動しているか否か判断する（ステップＳＴ４０３）。ここで、芳香センサ１５１が起動していると判断した場合には、携帯端末本体１００Ｂの近傍に漂っている匂いの種類や移動方向などの芳香情報を取得するための端末周辺の芳香情報取得処理を行う（ステップＳＴ４０４）。そして、この端末周辺の芳香情報取得処理で取得した芳香情報から、芳香の発散が可能か否か判断する（ステップＳＴ４０５）。【００４３】
ステップＳＴ４０５で、芳香の発散が可能と判断した場合、又はステップＳＴ４０３で芳香センサ１５１が起動していないと判断した場合には、携帯端末本体１００Ｂの近傍に漂っている匂いの消臭が必要か否か判断する（ステップＳＴ４０６）。ここで、消臭が必要と判断した場合には、発散抑止部１１０の送風部１１１、吸引部１１２、消臭剤噴射部１１３のうち、ユーザが選択した少なくとも１つを動作させて、携帯端末本体１００Ｂの近傍に漂っている匂いを消臭するための消臭処理を行う（ステップＳＴ４０７）。そして、この消臭処理が完了した後、又はステップＳＴ４０６で消臭が不要と判断した場合には、原料蓄積部１２０の複数の芳香原料１２１の中からユーザが設定した芳香を選択するための芳香選択処理を行う（ステップＳＴ４０８）。【００４４】
次いで、ステップＳＴ４０８の芳香選択処理が完了した後、ステップＳＴ３０８の発散保留設定が行われているか否か判断する（ステップＳＴ４０９）。ここで、発散保留設定が行われていないと判断した場合には、ステップＳＴ３０６の混合発散設定で設定された混合発散の有無を判断する（ステップＳＴ４１０）。【００４５】
ステップＳＴ４１０で、混合発散ありと判断した場合には、複数の芳香原料１２１の中から選択した複数の香料を、どのような比率で混合するかという混合条件（混合パラメータ）を設定するための香料混合パラメータ設定処理を行う（ステップＳＴ４１１）。そして、この香料混合パラメータ設定処理が完了した後、又はステップＳＴ４１０で混合発散なしと判断した場合には、ユーザ設定による芳香の発散パターンの有無を判断する（ステップＳＴ４１２）。【００４６】
ステップＳＴ４１２で、発散パターンありと判断した場合には、この発散パターンに対応する芳香原料１２１の発散／停止のタイミングや発散間隔などを設定するためのタイマー設定処理を行う（ステップＳＴ４１３）。そして、このタイマー設定処理が完了した後、又はステップＳＴ４１２で発散パターンなしと判断した場合には、発散する香料の発散量制限の有無を判断する（ステップＳＴ４１４）。【００４７】
ここで、発散する芳香原料１２１の残量が少なかったり、端末周辺の環境が多量の芳香発散に適さなかったりして、ステップＳＴ４１４で発散量制限ありと判断した場合には、芳香の発散量のパラメータを更新するための芳香発散量パラメータ更新処理を行う（ステップＳＴ４１５）。そして、この芳香発散量パラメータ更新処理が完了した後、又はステップＳＴ４１４で発散量制限なしと判断した場合には、方向の出力先の制限の有無を判断する（ステップＳＴ４１６）。【００４８】
ここで、芳香の発散方向が好ましくなく、ステップＳＴ４１６で出力先制限ありと判断した場合には、芳香の出力先のパラメータを更新するための芳香出力先パラメータ更新処理を行う（ステップＳＴ４１７）。そして、この芳香出力先パラメータ更新処理が完了した後、又はステップＳＴ４１６で出力先制限なしと判断した場合には、上述した各種の設定パラメータによる動作を処理するための各種設定パラメータ動作処理を行う（ステップＳＴ４１８）。【００４９】
一方、ステップＳＴ４０５で、発散不可能と判断した場合には、ステップＳＴ４０４で取得した端末周辺の芳香取得情報を保持するための芳香取得情報フラグ設定を行う（ステップＳＴ４１９）。そして、この芳香取得情報フラグ設定、又はステップＳＴ４１８の各種設定パラメータ動作処理、又はステップＳＴ４０９で発散保留設定ありと判断した場合には、通信端末装置１００の周辺情報を再取得するか否か判断する（ステップＳＴ４２０）。ここで、周辺情報を再取得しないと判断した場合には、上述の発散事前処理を終了する。一方、周辺情報を再取得すると判断した場合には、タイマー１８０によるタイマー制御を行い（ステップＳＴ４２１）、芳香センサ１５１の起動の有無を判断するステップＳＴ４０３以下の動作を所定のタイミングで繰り返す。【００５０】
なお、ステップＳＴ４０５で発散不可と判断した場合、つまり、端末周辺の情報を取得し、取得した情報から芳香発散による着信通知等が適さないと判断した場合、例えばユーザが飲食店等の匂いのきつい場所にいるときなどには、任意の時間間隔で再度、端末の周辺情報を取得し、芳香発散のタイミングを窺うか、あるいは芳香の発散要求を破棄する。【００５１】
また、ステップＳＴ４０９で発散保留設定ありと判断した場合は、保留条件が解除されるまで、もしくは発散要求が破棄されるまで、任意の時間間隔で端末状態及び端末の周辺情報を取得し、芳香の発散処理を待つ。【００５２】
次に、ステップＳＴ３１１の発散処理について説明する。図５に、ステップＳＴ３１１の発散処理の動作フローを示す。この発散処理では、まず、携帯端末本体１００Ｂの芳香発散部１４１から発散する芳香の発散方法を決定するための発散方法決定処理を行う（ステップＳＴ５０１）。そして、この発散方法決定処理が完了した後、芳香の発散を継続するか否か判断する（ステップＳＴ５０２）。【００５３】
ステップＳＴ５０２で、芳香の発散を継続すると判断した場合には、発散する芳香の種別を変更するか否か判断する（ステップＳＴ５０３）。ここで、芳香の種別を変更すると判断した場合には、原料蓄積部１２０の芳香原料１２１の種類を変更するための芳香原料変更処理を行う（ステップＳＴ５０４）。そして、この芳香原料変更処理が完了した後、又はステップＳＴ５０３で芳香の種別を変更しないと判断した場合には、発散する芳香量を変更するか否か判断する（ステップＳＴ５０５）。【００５４】
ステップＳＴ５０５で、芳香量を変更すると判断した場合には、発散する芳香量を変更するための芳香量変更処理をおこなう（ステップＳＴ５０６）。そして、この芳香量変更処理が完了した後、又はステップＳＴ５０５で芳香量を変更しないと判断した場合には、発散する芳香の出力先を変更するか否か判断する（ステップＳＴ５０７）。【００５５】
ステップＳＴ５０７で、芳香の出力先を変更すると判断した場合には、発散する芳香の出力先を変更するための芳香出力先変更処理をおこなう（ステップＳＴ５０８）。そして、この芳香出力先変更処理が完了した後、又はステップＳＴ５０７で芳香の出力先を変更しないと判断した場合には、芳香の発散パターンを変更するか否か判断する（ステップＳＴ５０９）。【００５６】
ステップＳＴ５０９で、芳香の発散パターンを変更すると判断した場合には、発散する芳香の発散パターンを変更するための発散パターン変更処理をおこなう（ステップＳＴ５１０）。そして、この発散パターン変更処理が完了した後、又はステップＳＴ５０９で芳香の発散パターンを変更しないと判断した場合には、通信端末装置１００の芳香の状態を更新するための芳香状態更新処理を行う（ステップＳＴ５１１）。【００５７】
次いで、ステップＳＴ５１１の芳香状態更新処理が完了した後、通知部１４０の芳香発散部１４１の発散孔から芳香を出力するための芳香出力処理を行う（ステップＳＴ５１２）。なお、この芳香出力処理では、芳香の発散中においても、定期的に芳香の発散状態と端末の周辺情報を取得し、任意のタイミングで、芳香種別、芳香量、芳香出力先、発散パターン等を変更することが可能になっている。【００５８】
そして、ステップＳＴ５１２の芳香出力処理が完了した後、通信端末装置１００の周辺情報を再取得するか否か判断する（ステップＳＴ５１３）。ここで、周辺情報を再取得しないと判断した場合には、上述の発散処理を終了し、周辺情報を再取得すると判断した場合には、ステップＳＴ５０１の端末状態更新処理に戻って、上述の発散処理を繰り返す。【００５９】
一方、ステップＳＴ５０２で、芳香の発散を継続しないと判断した場合には、通信端末装置１００が芳香の発散を保留するか否か判断する（ステップＳＴ５１４）。ここで、発散保留すると判断した場合には、タイマー１８０によるタイマー処理を行った後（ステップＳＴ５１５）、ステップＳＴ５０１の端末状態更新処理に戻って、上述の発散処理を繰り返す。なお、ステップＳＴ５１５のタイマー処理は、事前処理ではなく、上述した一連の発散処理の中でのタイマー制御である。【００６０】
また、ステップＳＴ５０２で、芳香の発散を継続しないと判断し、かつステップＳＴ５１４で、通信端末装置１００が芳香の発散を保留しないと判断した場合には、芳香の発散を停止（抑止）するための芳香発散停止（抑止）処理を行った後（ステップＳＴ５１６）、ステップＳＴ５１３に移行して通信端末装置１００の周辺情報を再取得するか否か判断する。【００６１】
次に、ステップＳＴ５１６の芳香発散停止（抑止）処理について説明する。図６に、この芳香発散停止（抑止）処理の動作フローを示す。この芳香発散（抑止）処理では、まず、芳香の発散の有無を判断する（ステップＳＴ６０１）。ここで、芳香の発散ありと判断した場合には、発散している芳香の抑止方法を選択するための抑止方法取得処理を行う（ステップＳＴ６０２）。この抑止方法取得処理で取得可能な抑止方法としては、（１）消臭処理、（２）送風処理、（３）吸引処理、（４）放置処理、がある。【００６２】
この芳香発散停止（抑止）処理では、まず、ステップＳＴ６０２の抑止方法取得処理で消臭処理を選択したか否か判断する（ステップＳＴ６０３）。ここで、消臭処理を選択したと判断した場合には、発散抑止部１１０の消臭剤噴射部１１３により芳香を抑止する方法を選択し、消臭剤噴射口から消臭剤１２３を噴射して、発散している芳香を消臭するための消臭処理を行う（ステップＳＴ６０４）。【００６３】
次いで、ステップＳＴ６０４の消臭処理が完了した後、又はステップＳＴ６０３で消臭処理を選択しないと判断した場合には、ステップＳＴ６０２の抑止方法取得処理で送風処理を選択したか否か判断する（ステップＳＴ６０５）。ここで、送風処理を選択したと判断した場合には、発散抑止部１１０の送風部１１１により芳香を抑止する方法を選択し、送風器（ファン）を駆動して、発散している芳香を吹き飛ばすための送風処理を行う（ステップＳＴ６０６）。【００６４】
次いで、ステップＳＴ６０６の送風処理が完了した後、又はステップＳＴ６０５で送風処理を選択しないと判断した場合には、ステップＳＴ６０２の抑止方法取得処理で吸引処理を選択したか否か判断する（ステップＳＴ６０７）。ここで、吸引処理を選択したと判断した場合には、発散抑止部１１０の吸引部１１２により芳香を抑止する方法を選択し、吸引器を駆動して、発散している芳香を吸い込むための吸引処理を行う（ステップＳＴ６０８）。【００６５】
次いで、ステップＳＴ６０８の吸引処理が完了した後、又はステップＳＴ６０７で吸引処理を選択しないと判断した場合には、ステップＳＴ６０２の抑止方法取得処理で放置処理を選択したか否か判断する（ステップＳＴ６０９）。ここで、放置処理を選択したと判断した場合には、発散している芳香が自然に消失するまで待つ抑止方法を選択し、発散している芳香を自然に消失させる放置処理を行う（ステップＳＴ６１０）。【００６６】
そして、ステップＳＴ６１０の放置処理が完了した後、又はステップＳＴ６０９で放置処理を選択しないと判断した場合、又はステップＳＴ６０１で芳香の発散なしと判断した場合には、通信端末装置１００の周辺情報を再取得するか否か判断する（ステップＳＴ６１１）。ここで、周辺情報を再取得しないと判断した場合には、上述の芳香発散停止（抑止）処理を終了し、周辺情報を再取得すると判断した場合には、ステップＳＴ６０１の芳香の発散有無の判断に戻って、上述の芳香発散停止（抑止）処理を繰り返す。【００６７】
次に、ステップＳＴ５０１の発散方法決定処理について説明する。図７に、この発散方法決定処理の動作フローを示す。この発散方法決定処理では、まず、携帯端末本体１００Ｂの周囲の情報を取得するか否か判断する（ステップＳＴ７０１）。【００６８】
ステップＳＴ７０１で携帯端末本体１００Ｂの周囲の情報を取得すると判断した場合には、携帯端末本体１００Ｂの周囲の風速及び風向を計測するための風速・風向計測処理を行う（ステップＳＴ７０２）。この携帯端末本体１００Ｂの周囲の風速及び風向は、センシング部１５０のマイク１５４で集音したノイズに基づいて計測することができる。これにより、携帯端末本体１００Ｂの周囲の風速や風向が芳香発散に適しているか否かを確認できるとともに、芳香の発散方法を決定するための情報を取得することができる。【００６９】
次いで、携帯端末本体１００Ｂの周囲の温度を計測するため温度計測処理を行う（ステップＳＴ７０３）。この携帯端末本体１００Ｂの周囲の温度は、図示しない温度センサにより計測することができる。この温度計測処理を行うことにより、携帯端末本体１００Ｂの芳香の発散対象であるユーザが携帯端末本体１００Ｂの近くに居るか否か判断することができる。【００７０】
次いで、携帯端末本体１００Ｂの周囲の芳香濃度を計測するため芳香濃度計測処理を行う（ステップＳＴ７０４）。この携帯端末本体１００Ｂの周囲の芳香濃度は、センシング部１５０の芳香センサ１５１の芳香検出レベルに基づいて計測することができる。これにより、携帯端末本体１００Ｂの周囲に、次に発散する芳香と混ざった場合に悪臭となるおそれがある芳香が漂っているか否かを確認できるとともに、芳香の最適な発散方法を決定するための情報を取得することができる。【００７１】
そして、上記の風速・風向計測処理、温度計測処理及び芳香濃度計測処理が完了した後、またはステップＳＴ７０１で携帯端末本体１００Ｂの周囲の情報を取得しないと判断した場合には、携帯端末本体１００Ｂの周囲の情報を登録するための周囲情報登録処理を行う（ステップＳＴ７０５）。この周囲情報は、携帯端末本体１００Ｂのメモリ１９０に格納される。【００７２】
次いで、芳香の発散対象である噴射対象（例えば、ユーザの顔）を検索するか否かを判断する（ステップＳＴ７０６）。ここで、芳香の発散対象であるユーザを検索すると判断した場合には、センサ起動処理を行い、センシング部１５０のカメラ１５３を起動する（ステップＳＴ７０７）。そして、カメラ１５３が芳香発散する対象物を確認したか否か判断する（ステップＳＴ７０８）。【００７３】
ステップＳＴ７０８で、カメラ１５３が対象物を確認したと判断した場合には、カメラ１５３が撮像している対象物の大きさから携帯端末本体１００Ｂの芳香発散部１４１と対象物との距離を計測するための距離計測処理を行う（ステップＳＴ７０９）。次いで、カメラ１５３が撮像している対象物の角度から対象物に対する携帯端末本体１００Ｂの芳香発散部１４１の発散孔の芳香発散角度を計測するための角度計測処理を行う（ステップＳＴ７１０）。【００７４】
そして、上記の距離計測処理及び角度計測処理が完了した後、またはステップＳＴ７０６で噴射対象を検索しないと判断した場合には、芳香を発散する対象物の情報を登録するための対象物情報登録処理を行う（ステップＳＴ７１１）。この対象物情報登情報は、携帯端末本体１００Ｂのメモリ１９０に格納される。【００７５】
次いで、芳香の出力制御を行うか否か判断する（ステップＳＴ７１２）。ここで、芳香の出力制御を行うと判断した場合には、まず、ステップＳＴ７０５で登録した周囲情報、及びステップＳＴ７１１で登録した対象物情報を取得する（メモリ１９０から読み出す）ための周囲／対象物情報取得処理を行う（ステップＳＴ７１３）。【００７６】
次いで、開閉式の携帯端末本体１００Ｂの開閉状態をセンシング部１５０の光センサ１５５で検出して、端末スタイル（形状）情報を取得するための端末スタイル（形状）情報取得処理を行う（ステップＳＴ７１４）。【００７７】
次いで、発散装置本体１００Ａの原料蓄積部１２０に配設されている芳香原料残量センサ（不図示）により、芳香原料１２１の残量を確認するための芳香残量確認処理を行う（ステップＳＴ７１５）。【００７８】
そして、上記の周囲／対象物情報取得処理、端末スタイル（形状）情報取得処理及び芳香残量確認処理が完了した後、芳香発散部１４１の発散孔が制御可能な状態であるか否か判断する（ステップＳＴ７１６）。ここで、芳香発散部１４１の発散孔が制御可能であると判断した場合には、芳香発散部１４１の発散孔が前述の対象物に向けて芳香を発散するように、芳香発散部１４１の発散孔の向きを移動するための発散孔の移動制御を行う（ステップＳＴ７１７）。また、この場合には、芳香発散部１４１の発散孔の形状が芳香の発散速度や発散範囲に適した形状になるように、発散孔の拡縮制御を行う（ステップＳＴ７１８）。【００７９】
次いで、上記の発散孔の移動制御及び発散孔の拡縮制御が完了した後、またはステップＳＴ７１６で芳香発散部１４１の発散孔が制御可能でないと判断した場合には、芳香発散部１４１の発散孔から発散する芳香の発散タイプを、スプレータイプまたは拡散タイプの何れか適している発散タイプに設定するための発散タイプ設定を行う（ステップＳＴ７１９）。【００８０】
次いで、発散する芳香の発散量を設定するための発散量設定（ステップＳＴ７２０）、発散する芳香の発散速度を設定するための発散速度設定（ステップＳＴ７２１）、及び発散する芳香の発散時間を設定するための発散時間設定（ステップＳＴ７２２）を行う。【００８１】
そして、上記の発散量設定、発散速度設定及び発散時間設定が完了した後、またはステップＳＴ７１２で芳香出力制御をしないと判断した場合には、上述の設定による芳香の発散方法をメモリ１９０に登録するための発散方法登録処理を行い（ステップＳＴ７２３）、この処理完了後に発散方法決定処理を終了する。【００８２】
以上のように、本例の通信端末装置１００によれば、センシング部１５０の芳香センサ１５１、カメラ１５３、マイク１５４、光センサ１５５、及び位置センサ１５６等で携帯端末本体１００Ｂの周囲の状況を検出し、このセンシング部１５０で検出した携帯端末本体１００Ｂの環境情報に基づいて、制御部１３０の発散／消臭制御１３１により芳香発散部１４１の芳香発散制御を行う。これにより、携帯端末本体１００Ｂの周囲の状況に応じて、芳香の無駄な発散や端末周囲への影響を極力抑えることができる。【００８３】
例えば、この通信端末装置１００では、カメラ１５３により、特定ターゲット（ユーザ）が確認できた場合は、そのターゲットに対し、芳香をスプレー式で発射し、ターゲットが確認できなかった場合は芳香を拡散放出させることが可能になる。【００８４】
また、この通信端末装置１００では、芳香センサ１５１、マイク１５４、及び位置センサ１５６等により検出した特定ターゲットとの方位、距離、風向等から、芳香の発射速度(強度)、拡散範囲を制御することが可能となる。【００８５】
また、この通信端末装置１００では、光センサ１５５の検出結果に基づいて、芳香発散部１４１の噴出孔を携帯端末本体１００Ｂの状態や周囲の状況によって制御することが可能となる。【００８６】
また、この通信端末装置１００では、芳香発散部１４１の複数の噴出孔を設定および制御することが可能となる。例えば、芳香発散部１４１の噴出孔を任意の状態に固定及び可動させることが可能となる。例えば、芳香発散部１４１の噴出孔の１つは固定でもう１つは可動といった組合せも可能となる。また、芳香発散部１４１の複数の噴出孔を、任意のルールに基づいて連動するように発散制御を行うことが可能となる。【００８７】
また、この通信端末装置１００では、携帯端末本体１００Ｂの開閉状態などの形状(スタイル)に応じて、芳香発散部１４１の噴出孔を自動的に選択することが可能となる。つまり、携帯端末本体１００Ｂが開いた状態と閉じた状態で、芳香の噴出先を携帯端末本体１００Ｂの外側または手前側の何れかに切替えることが可能となる。これにより、例えば、ユーザ操作中は、芳香発散部１４１の噴出孔を、端末正面の噴出孔に切替えることが可能となる。【００８８】
また、この通信端末装置１００では、携帯端末本体１００Ｂの状態に応じて、芳香発散部１４１の噴出孔の形状を自動的に変化させるように制御することが可能となる。これにより、例えば、芳香発散部１４１の形状を、芳香がゆっくり拡散するように変形させることが可能となる。【００８９】
また、この通信端末装置１００では、着信及びアラーム等のユーザ通知を定期的(間欠動作)な芳香発散で行うことで通知することが可能となる。また、この通信端末装置１００は、芳香原料１２１を、芳香の発散中でも交換することが可能である。なお、この通信端末装置１００は、芳香原料１２１、発煙（スモーク）原料１２２などを格納するための予備容器を備えていてもよい。【００９０】
また、この通信端末装置１００では、原料蓄積部１２０の芳香原料１２１の残量を検出し、検出した芳香原料１２１の残量情報から、芳香の拡散距離、発散エリアを制御することが可能となる。また、この通信端末装置１００では、検出した芳香原料１２１の残量情報から、原料蓄積部１２０の残りの芳香原料１２１の発散回数を算出し、これを表示部１４４に表示してユーザに報知することが可能となる。また、この通信端末装置１００では、検出した芳香原料１２１の残量情報から、芳香原料１２１を発注するための注文サイトへ無線部１６０により自動的にアクセスして、所望の芳香原料１２１を購入することが可能となる。【００９１】
また、この通信端末装置１００では、制御部１３０にて、携帯端末本体１００Ｂの状態及び周辺環境(センシング部１５０からの情報収集)を把握し、発散／消臭制御部１３１にて、芳香のポイント発射、もしくは芳香の拡散といった芳香放出方法の制御、及び芳香発散部１４１の噴出孔の位置や形状を制御し、芳香を効率よく発散させることができる。【００９２】
また、この通信端末装置１００では、芳香の発散を任意の期間で間欠的に繰り返したり、芳香の発散中に任意の時間で発散を抑止したりすることが可能になる。なお、ここで、芳香の発散を抑止するようにした場合には、着信などの通知を、芳香の発散の代わりに、発音部１４３、表示部１４４、振動部１４５、発光部１４６などを動作させて行うようにしている。これにより、この通信端末装置１００では、芳香の発散が抑止されていても、着信等を“着メロ”や“バイブレーション”によって通知することができる。一方、芳香の発散を任意の期間で間欠的に繰り返す場合には、前回発散した芳香を、消臭剤１２３（スモークの場合は消煙剤１２４）を放出して消臭した後、次の芳香を発散することも可能である。これにより、前回発散した芳香と次の芳香との混合を回避することができる。【００９３】
また、この通信端末装置１００では、携帯端末本体１００Ｂの周囲の芳香を、センシング部１５０の芳香センサ１５１で検出し、これを予め設定した発散条件と比較して、携帯端末本体１００Ｂの環境が芳香の発散に適していないと判断した場合に、芳香の発散を停止することが可能である。これにより、この通信端末装置１００では、周囲の芳香濃度が予め設定した基準範囲外の場合、例えば携帯端末本体１００Ｂの周囲に強風が吹いていて芳香を発散してもその効果が得られない場合や、携帯端末本体１００Ｂの周囲の芳香特性が次要求で発散する芳香と相性が悪い場合等に、芳香発散を停止することができる。なお、前回発散した芳香と次要求で発散する芳香との相性が悪い場合には、前回発散した芳香と相性の良い代替芳香を発散して、芳香の混合による悪臭の発生を回避するようにしてもよい。【００９４】
また、この通信端末装置１００では、携帯端末本体１００Ｂの周囲の芳香を、センシング部１５０の芳香センサ１５１で検出して、芳香の発散量を制御することが可能である。これにより、この通信端末装置１００では、携帯端末本体１００Ｂの周囲の芳香濃度が予め設定した基準値に達した場合に、自動的に芳香の発散を停止することができる。また、この通信端末装置１００では、携帯端末本体１００Ｂの周囲の芳香濃度が基準値以下になった場合に、自動的に芳香の発散を再開することもできる。【００９５】
また、この通信端末装置１００では、携帯端末本体１００Ｂの周囲の芳香を、センシング部１５０の芳香センサ１５１で検出し、消臭剤噴射部１１３により消臭剤１２３を噴射して、検出した芳香を消臭することが可能である。これにより、この通信端末装置１００では、芳香センサ１５１で検出した芳香を消臭した後に、次の芳香を自動的に発散することができ、前回発散した芳香と次に発散する芳香との混合を回避することができる。このとき、消臭剤噴射部１１３の消臭剤１２３の噴射時間は、携帯端末本体１００Ｂの周囲の芳香濃度に応じて制御することが可能である。これにより、発散した芳香の消臭時間を制御することができる。【００９６】
また、この通信端末装置１００では、例えばユーザＩ／Ｆ１７０のキー押下等の特定の操作や、携帯端末本体１００Ｂの電池残量判定等の制御と連動して、芳香の発散要求を停止することが可能である。これにより、この通信端末装置１００では、芳香のマナーモードが可能になり、例えば、センシング部１５０の芳香センサ１５１が特定の芳香を検出した場合も、それ以降の芳香発散を停止することができる。なお、この場合には、ユーザＩ／Ｆ１７０の特定のキー押下等による所定の解除手順や、タイマー１８０やアラーム等による所定の経過時間によって、芳香発散の抑止を解除することが可能である。【００９７】
また、この通信端末装置１００では、所定の芳香原料１２１の残量が予め設定した蓄積量以下に達した場合に、その芳香の発散を抑止したり、その芳香の噴射量を調整したりすることが可能である。なお、この場合には、着信等を、残量が十分にある違う種類の芳香や、発音部１４３の音、振動部１４５の振動、発光部１４６の光等により代替通知するようにしてもよい。また、この場合には、着信等の芳香による通知可否をユーザ選択で行うようにしてもよい。さらに、この場合には、芳香の残量情報及び芳香原料１２１の取替え時期を、発音部１４３の音、表示部１４４の画面表示、振動部１４５の振動、発光部１４６の光等によりユーザに通知するようにしてもよい。【００９８】
また、この通信端末装置１００においては、制御部１３０の発散／消臭制御部１３１により、通知部１４０の芳香発散部１４１、及び発散抑止部１１０の送風部１１１、吸引部１１２、消臭剤噴射部１１３を制御して、原料蓄積部１２０の芳香原料１２１の発散制御及び消臭制御を行う場合と同様に、制御部１３０の発煙／消煙制御部１３２により、通知部１４０の発煙部１４２、及び発散抑止部１１０の送風部１１１、吸引部１１２を制御することで、原料蓄積部１２０の発煙（スモーク）原料１２２の発煙制御及び消煙制御を行うことが可能である。このように、着信通知やアラーム等のユーザ通知をスモークの発煙制御で行う場合には、発音部１４３の音、表示部１４４の画面表示、振動部１４５の振動、発光部１４６の光等と、スモークの発煙とが同期するように、発煙タイミングを調整するようにしてよい。また、この場合には、芳香を発散する際に、芳香の発散をスモークの発煙で通知するようにしてもよい。さらに、この場合には、発散する芳香の種類によって、発煙するスモークの色を変化させるようにしてもよい。【００９９】
また、この通信端末装置１００においては、光センサ１５５の検出光量に応じて芳香やスモークの発散を抑止することができる。従って、この通信端末装置１００では、例えば、ユーザが就寝している夜間のように芳香やスモークが無駄に発散されるおそれがあるか否か、映画館のように芳香やスモークの発散が他者の迷惑になるおそれがあるか否かなどを、光センサ１５５の検出光量で判断して、芳香やスモークの無駄な発散を防止することができる。【０１００】
また、この通信端末装置１００においては、マイク１５４が検出したノイズレベルに応じて芳香やスモークの発散を抑止することができる。従って、この通信端末装置１００では、例えば、強風時などのように芳香やスモークの発散が無意味になるような場合に、端末周辺の風速をマイク１５４のノイズレベルで検出して、芳香やスモークの無駄な発散を防止することができる。【０１０１】
また、この通信端末装置１００においては、位置センサ１５６の検出位置に応じて芳香やスモークの発散を抑止することができる。従って、この通信端末装置１００では、例えば、ＧＰＳ機能を用いて位置センサ１５６で検出した携帯端末本体１００Ｂの現在位置から、芳香やスモークの発散が可能か否かを判断して、芳香やスモークの発散制御を行うことができる。【０１０２】
また、この通信端末装置１００においては、カメラ１５３が撮像した発散対象に向けて芳香を発散するように芳香の発散方向を調整することができる。従って、この通信端末装置１００では、その発散方向調整機能により芳香の発散対象を絞り込むことができ、芳香によるユーザへの着信通知を芳香を無駄に発散することなく確実に行うことができる。
【産業上の利用可能性】
【０１０３】
本発明に係る通信端末装置は、状況に応じて芳香の無駄な発散や端末周囲への影響を回避することができるので、芳香発散機能を備えた携帯電話機等の通信端末装置として有用である。
【図１】
2009001431.tif 000003
【図２】
2009001431.tif 000004
【図３】
2009001431.tif 000005
【図４】
2009001431.tif 000006
【図５】
2009001431.tif 000007
【図６】
2009001431.tif 000008
【図７】
2009001431.tif 000009
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
所定の発散要求により芳香を発散する芳香発散部と、
前記芳香発散部により前記芳香を発散する環境の環境情報を取得するセンシング部と、
前記センシング部により取得した前記環境情報に基づいて前記芳香発散部による前記芳香の発散を制御する発散制御部と、
を具備する通信端末装置。
【請求項２】
前記センシング部は、前記芳香の発散対象を検出する発散対象検出センサを備え、
前記発散制御部は、前記発散対象検出センサにより検出した前記発散対象に向けて前記芳香を発散させるように前記芳香発散部を制御する
請求項１に記載の通信端末装置。
【請求項３】
前記発散制御部は、前記発散対象検出センサが前記発散対象を検出できなかった場合に、前記芳香を拡散放出させるように前記芳香発散部を制御する
請求項２に記載の通信端末装置。
【請求項４】
前記センシング部は、前記芳香の発散対象に対する端末の方位及び距離を検出する位置センサと、前記端末周囲の風向きを検出する風向センサと、を備え、
前記発散制御部は、前記位置センサ及び前記風向センサの検出結果に応じて前記芳香発散部の前記芳香の発散速度及び拡散範囲を制御する
請求項２に記載の通信端末装置。
【請求項５】
前記芳香発散部は、前記芳香を発散するための複数の発散孔を備え、
前記発散制御部は、前記芳香発散部の前記複数の発散孔のうちの稼働させる発散孔を選択して前記芳香を発散させるように前記芳香発散部を制御する
請求項１に記載の通信端末装置。
【請求項６】
前記センシング部は、開閉式端末の開閉状態を検出する開閉センサを備え、
前記複数の発散孔は、前記開閉式端末を閉じた状態で前記芳香を外側に向けて放出する外面発散孔と、前記開閉式端末を開いた状態で前記芳香を手前側に向けて放出する内面発散孔と、からなり、
前記発散制御部は、前記開閉式端末の開閉状態に応じて前記外面発散孔または前記内面発散孔の何れかを選択する
請求項５に記載の通信端末装置。
【請求項７】
前記発散孔の孔形状は、可変自在に構成されている
請求項５に記載の通信端末装置。
【請求項８】
前記芳香発散部から発散する芳香原料の残量を検出する芳香原料残量センサを備え、
前記発散制御部は、前記芳香原料残量センサが検出した前記芳香原料の残量に応じて前記芳香発散部の前記芳香の発散距離及び拡散範囲を制御する
請求項１に記載の通信端末装置。
【請求項９】
前記芳香原料残量センサが検出した前記芳香原料の残量から、前記芳香の残りの発散回数を算出して報知する報知手段をさらに具備する
請求項８に記載の通信端末装置。
【請求項１０】
所定の発散要求によりスモークを発散する発煙部と、
前記発煙部により前記スモークを発散する環境の環境情報を取得する煙センサと、
前記煙センサにより取得した前記環境情報に基づいて前記発煙部による前記スモークの発散を制御する発煙制御部と、をさらに具備する
請求項１に記載の通信端末装置。
【手続補正２】
【補正対象書類名】明細書
【補正対象項目名】全文
【補正方法】変更
【補正の内容】
【発明の詳細な説明】
【技術分野】
【０００１】
本発明は、着信通知やスケジュール通知等を芳香の発散により通知する芳香発散機能を備えた携帯電話機等の通信端末装置に関する。
【背景技術】
【０００２】
近年、携帯電話機等の通信端末装置の分野では、通信エリアや通信速度といった基本的な機能だけでなく、“着メロ”“デザイン”などのように、“楽しい”“面白い”といった情緒面の付加価値を持たせることも重要になってきている。
【０００３】
このような付加価値を持たせた携帯端末装置として、着信通知やスケジュール通知等を、芳香（におい）の発散によって通知するものがある（特許文献１参照）。これにより、ユーザは、携帯端末装置を身につけていない状態でも着信等の通知を認識できるようになる。また、着信相手又は受信メール内容に応じてエンターテイメント性を持たせて香りを楽しませる香り発生携帯電話機及びその利用方法がある（特許文献２参照）。これにより、端末に入力される情報を臭覚によって識別できるようになる。
【特許文献１】特開２００５−３１８３４５号公報
【特許文献２】特開２００２−２５２６８６号公報
【発明の開示】
【発明が解決しようとする課題】
【０００４】
しかしながら、前記従来の携帯端末装置や香り発生携帯電話機等の通信端末装置は、芳香の発散条件については多数挙げられているが、端末周囲の状況を何ら考慮せずに着信等の発散要求がある度に芳香を発散するため、端末周囲の状況によっては芳香が無駄に発散されてしまうおそれがあった。
【０００５】
本発明は、状況に応じて芳香の無駄な発散や端末周囲への影響を回避することが可能な通信端末装置を提供することである。
【課題を解決するための手段】
【０００６】
本発明の通信端末装置は、所定の発散要求により芳香を発散する芳香発散部と、前記芳香発散部により前記芳香を発散する環境の環境情報を取得するセンシング部と、前記センシング部により取得した前記環境情報に基づいて前記芳香発散部による前記芳香の発散を制御する発散制御部と、を具備する構成を採る。
【発明の効果】
【０００７】
本発明によれば、センシング部により取得した環境情報に基づいて芳香発散部による芳香の発散を発散制御部で制御することができるので、状況に応じて芳香の無駄な発散や端末周囲への影響を回避することができる。
【発明を実施するための最良の形態】
【０００８】
電話やメール等の着信を芳香の発散により通知するように構成した従来の通信端末装置は、着信がある度に、単に芳香を発散するだけのものであった。このため、このような通信端末装置では、例えばユーザが端末から遠く離れた場所にいたり、強風などにより発散した芳香が直ぐにかき消されたりして、ユーザが芳香の発散に気付かないような場合でも芳香が発散されて芳香原料が無駄に消費されてしまうという問題があった。
【０００９】
本発明は、このような点に鑑みて、例えば、通信端末装置の周囲の状況に応じて芳香の無駄な発散や端末周囲への影響を回避できるようにしたものである。
【００１０】
以下、本発明の実施の形態について、図面を参照して詳細に説明する。なお、各図において同様の構成または機能を有する構成要素及び相当部分には、同一の符号を付してその説明は繰り返さない。
【００１１】
図１に、本発明の一実施の形態に係る通信端末装置の構成を示す。この通信端末装置１００は、大きく分けて、芳香、スモーク及び消臭剤を発散する発散装置本体１００Ａと、無線通信を行う携帯端末本体１００Ｂと、の２つの部分で構成される。なお、発散装置本体１００Ａは、携帯端末本体１００Ｂと一体あるいは別体の何れの構成であってもよい。ここで、発散装置本体１００Ａを携帯端末本体１００Ｂと別体に構成する場合には、発散装置本体１００Ａを、例えば携帯端末本体１００Ｂの電源充電用の卓上ホルダ型充電器に組み込んだ構成、あるいはユーザが常時携帯可能な構成とするなど、ユーザが芳香の発散を速やかに認識できるように構成することが望ましい。
【００１２】
図示の通信端末装置１００における発散装置本体１００Ａは、発散抑止部１１０、原料蓄積部１２０、を備えて構成される。発散抑止部１１０は、発散している芳香を抑止するための抑止手段である送風部１１１、吸引部１１２、消臭剤噴射部１１３、消煙剤噴射部１１４を備えている。送風部１１１は、発散される芳香を素早く吹き飛ばして芳香の発散を抑止する送風器（ファン）を備えている。吸引部１１２は、発散される芳香を素早く吸い込んで芳香の発散を抑止する吸引器を備えている。消臭剤噴射部１１３は、発散される芳香に消臭剤を噴射して芳香の発散を抑止する消臭剤噴射口を備えている。消煙剤噴射部１１４は、発散されるスモークに消煙剤を噴射してスモークの発散を抑止する消煙剤噴射口を備えている。ここで、芳香（又はスモーク）の抑止は、ユーザが予め設定して選択した抑止方法により行われる。例えば、送風部１１１により芳香（スモーク）を抑止する方法を選択した場合には、送風器（ファン）による送風処理が行われる。また、吸引部１１２により芳香（又はスモーク）を抑止する方法を選択した場合には、吸引器による吸引処理が行われる。また、消臭剤噴射部１１３により芳香を抑止する方法を選択した場合には、消臭剤噴射による消臭処理が行われる。さらに、消煙剤噴射部１１４によりスモークを抑止する方法を選択した場合には、消煙剤噴射による消煙処理が行われる。
【００１３】
原料蓄積部１２０は、芳香原料１２１、発煙（スモーク）原料１２２、消臭剤１２３、消煙剤１２４を蓄積するための容器を備えている。ここで、芳香原料１２１の容器としては、例えば、ミント系、柑橘系、アロマ系などの複数の香料を個別に収容でき、かつ容易に交換可能なカートリッジタイプのものが好ましい。また、消臭剤１２３及び消煙剤１２
４の容器としては、不燃性ガスにより消臭剤１２３及び消煙剤１２４を噴射するガスボンベが好ましい。
【００１４】
一方、図示の通信端末装置１００における携帯端末本体１００Ｂは、制御部１３０、通知部１４０、センシング部１５０、無線部１６０、ユーザＩ／Ｆ１７０、タイマー１８０、メモリ１９０、を備えて構成される。制御部１３０は、発散／消臭制御部１３１、発煙／消煙制御部１３２、を備えている。発散／消臭制御部１３１は、原料蓄積部１２０の芳香原料１２１を通知部１４０の芳香発散部１４１から発散する際の発散制御、及び原料蓄積部１２０の消臭剤１２３を発散抑止部１１０の消臭剤噴射部１１３から噴射する際の消臭制御を行う。発煙／消煙制御部１３２は、原料蓄積部１２０の発煙（スモーク）原料１２２を通知部１４０の発煙部１４２から発煙する際の発煙制御、及び原料蓄積部１２０の消煙剤１２４を発散抑止部１１０の消煙剤噴射部１１４から噴射する際の消煙制御を行う。
【００１５】
通知部１４０は、芳香発散部１４１、発煙部１４２、発音部１４３、表示部１４４、振動部１４５、発光部１４６、を備え、これらの何れかにより、着信等をユーザに通知する。芳香発散部１４１は、芳香を発散する発散孔を備え、発散／消臭制御部１３１の指令により原料蓄積部１２０の芳香原料１２１を発散孔から気中に発散することで着信等をユーザに通知する。発煙部１４２は、スモークを噴出する発散孔を備え、発煙／消煙制御部１３２の指令により原料蓄積部１２０の発煙（スモーク）原料１２２を発散孔からスモーク状にして噴出することで着信等をユーザに通知する。発音部１４３は、スピーカにより音声やメロディー（着メロ）を流すことで着信等をユーザに通知する。表示部１４４は、液晶パネルなどからなるディスプレイに着信情報等を表示することで着信等をユーザに通知する。振動部１４５は、バイブレータを振動させることで着信等をユーザに通知する。発光部１４６は、ＬＥＤなどの発光素子を点滅させることで着信等をユーザに通知する。
【００１６】
なお、芳香発散部１４１の芳香を発散する発散孔は、芳香の発散量や発散方向を調整することができる構造を有している。例えば、この芳香発散部１４１の発散孔は、発散する芳香原料１２１の残量が少なかったり、端末周辺の環境が多量の芳香発散に適さなかったりする場合に、芳香の発散量を制限するように動作することができる。また、この発散孔は、芳香の発散方向が好ましくない場合に、この芳香の出力先を制限するように動作することができる。
【００１７】
発煙部１４２の発散孔から噴出するスモークは、発散孔の近傍に配置した発光ダイオードにより着色可能な白色であることが好ましい。この発煙部１４２の発散孔は、芳香発散部１４１の発散孔と同様、発煙する発煙（スモーク）原料１２２の残量が少なかったり、端末周辺の環境が多量のスモークの発煙に適さなかったりする場合に、スモークの発散量を制限するように動作することができる。また、この発散孔は、スモークの発散方向が好ましくない場合に、このスモークの出力先を制限するように動作することができる。
【００１８】
センシング部１５０は、芳香センサ１５１、煙センサ１５２、カメラ１５３、マイク１５４、光センサ１５５、位置センサ１５６、を備え、これらにより芳香を発散する環境の環境情報を取得する。芳香センサ１５１は、携帯端末本体１００Ｂの近傍に漂っている匂いの種類や移動方向などを検出し、検出結果を発散／消臭制御部１３１に送る。煙センサ１５２は、通信端末本体１００Ｂの近傍にスモークが漂っているか否かを検出し、検出結果を発煙／消煙制御部１３２に送る。カメラ１５３は、着信等を芳香発散により通知する通知対象ユーザが近傍にいるか否かをユーザの顔を撮像しているか否かで検出し、検出結果を制御部１３０に送る。マイク１５４は、携帯端末本体１００Ｂの近傍の風力や風向きを集音したノイズにより検出し、検出結果を制御部１３０に送る。光センサ１５５は、折り畳み方式の携帯端末本体１００Ｂの開閉状態や、携帯端末本体１００Ｂが屋内にあるか
否かなどを受光光量の強弱により検出し、検出結果を制御部１３０に送る。位置センサ１５６は、携帯端末本体１００Ｂの現在位置をＧＰＳ機能により検出し、検出結果を制御部１３０に送る。
【００１９】
無線部１６０は、携帯端末本体１００Ｂから送信する送信信号、及び通信相手から受信した受信信号を変復調して送受信し、送受信情報を制御部１３０に送る。ユーザＩ／Ｆ１７０は、携帯端末本体１００Ｂのモード設定やモード切り替えなどのユーザ設定（操作）情報を制御部１３０に送る。タイマー１８０は、ユーザにより予め設定された芳香の発散タイミングや発散時間、及びスモークの噴出タイミングや噴出時間などを計測し、計測結果を制御部１３０に送る。メモリ１９０は、芳香の発散履歴やスモークの噴出履歴などを記憶し、ユーザ要求に応じて記憶情報を制御部１３０に送る。
【００２０】
なお、この通信端末装置１００においては、芳香発散部１４１、発煙部１４２、芳香センサ１５１及び煙センサ１５２を、通信端末本体１００Ｂ側に設けた構成を採っているが、これらは発散装置本体１００Ａ側に設けてもよい。
【００２１】
また、この通信端末装置１００における芳香発散方式としては、
（１）芳香の発散孔を電磁弁により開閉して芳香発散及び芳香停止を行う電磁弁開閉式
（２）芳香原料１２１を染み込ませたシートの加熱／冷却により芳香発散及び芳香停止を行う加熱／冷却方式
（３）芳香原料１２１を注射針により濾紙に染み込ませて芳香発散を行う濾紙注入方式
（４）芳香原料１２１を高圧ガスが封入されたノズル噴射ボンベに収容し、ノズルの押下により芳香発散を行うノズル噴射式
などの何れの方式であってもよいが、芳香の発散制御をより高精度に行うには、上記の（４）ノズル噴射方式を採ることが好ましい。
【００２２】
次に、本例の通信端末装置１００の動作について説明する。この通信端末装置１００では、マナーモード設定、混合発散設定、発散保留設定、香料混合パラメータ設定、タイマー設定、などの各種の設定を行う。
【００２３】
マナーモード設定では、ユーザへの着信等の通知を“着メロ”や“芳香発散”などで行った場合、他者に迷惑を掛けたり芳香原料１２１が無駄に消費されたりするおそれがある状況のときに、他者の迷惑や芳香原料１２１の無駄な消費を防止できる他の通知方法で着信等の通知を行うようにユーザ操作により設定する。この通信端末装置１００においては、このマナーモード設定により、ユーザへの着信時の通知設定を、振動部１４５のバイブレータの駆動（振動）や、発光部１４６の発光素子（ＬＥＤ）の点滅等で通知するマナーモードに切り替えるようにしている。
【００２４】
混合発散設定では、複数の芳香原料１２１を混合した芳香を生成して発散するように通信端末装置１００の動作設定を行う。なお、ここでは、説明の便宜上、単一の芳香原料１２１を用いて芳香を生成する場合も含むものとする。
【００２５】
発散保留設定では、ユーザ設定による芳香発散が不可能な場合、例えば通信端末装置１００が芳香の発散条件を満たしていないと判定した場合に、芳香の発散を保留するように通信端末装置１００の動作設定を行う。ここで、通信端末装置１００が芳香の発散条件を満たしているか否かの判定は、例えば、ユーザ操作によりマナーモードを設定しているか否か、及びセンシング部１５０の各センサで検出した携帯端末本体１００Ｂの環境情報が芳香の発散に適した環境条件を満たしているか否か、などによって判断する。なお、ここでは、このような発散保留設定が行われる場合の条件を保留条件ということとする。この発散保留設定は、上記保留条件であるマナーモード設定が解除され、かつ携帯端末本体１
００Ｂの環境が芳香の発散に適した環境条件を満たすまで維持される。
【００２６】
香料混合パラメータ設定では、複数の芳香原料１２１を混合した芳香を発散する場合に、複数の芳香原料１２１の中から選択した複数の香料を、どのような比率で混合するかという混合条件（混合パラメータ）を設定する。
【００２７】
タイマー設定では、予め芳香の発散パターンが用意されている場合に、この発散パターンに対応する芳香原料１２１の発散／停止のタイミングや発散間隔などを設定する。
【００２８】
本例の通信端末装置１００においては、芳香制御要求処理、芳香発散処理、発散事前処理、発散処理、芳香発散停止（抑止）処理、などの処理が適時実行される。
【００２９】
図２に、芳香制御要求処理の動作フローを示す。この芳香制御要求処理では、まず、芳香発散要求の有無を判断する（ステップＳＴ２０１）。芳香発散要求の有無は、例えば、ユーザが着信時などの通知を芳香の発散で行うように設定している場合に、無線部１６０が電話やメール等の着信信号を受信したか否か、つまり無線部１６０から制御部１３０への着信信号入力の有無で判断する。なお、ユーザが芳香の発散テストを行う場合には、芳香発散要求の有無を、ユーザＩ／Ｆ１７０から制御部１３０への芳香発散テスト信号入力の有無で判断する。
【００３０】
ステップＳＴ２０１で芳香発散要求なしと判断した場合には、芳香の発散を抑止するための芳香発散停止（抑止）処理を行う（ステップＳＴ２０２）。また、ステップＳＴ２０１で芳香発散要求ありと判断した場合には、芳香を発散させるための芳香発散処理を行う（ステップＳＴ２０３）。
【００３１】
まず、ステップＳＴ２０１で芳香発散要求ありと判断して、ステップＳＴ２０３の芳香発散処理がスタートした場合について説明する。図３に、この芳香発散処理の動作フローを示す。
【００３２】
この芳香発散処理では、まず携帯端末本体１００Ｂの着信時におけるユーザへの通知設定がマナーモードに設定されているか否か判断する（ステップＳＴ３０１）。ここで、通知設定がマナーモードに設定されていると判断した場合には、マナー動作（マナーモード時の端末動作）に関する端末設定情報（ユーザ設定）を取得するためのマナーモード中の動作情報取得処理を行う（ステップＳＴ３０２）。
【００３３】
一方、ステップＳＴ３０１で、通知設定がマナーモードに設定されていないと判断した場合には、前回の発散処理による芳香が現在発散中か否か判断する（ステップＳＴ３０３）。ここで、前回の発散処理による芳香が現在発散中と判断した場合には、芳香発散動作（芳香発散時の端末動作）に関する端末設定情報（ユーザ設定）を取得するための発散中の動作情報取得処理を行う（ステップＳＴ３０４）。
【００３４】
次いで、ステップＳＴ３０２のマナーモード中の動作情報取得処理、又はステップＳＴ３０４の発散中の動作情報取得処理により取得した動作情報から、ユーザ設定による芳香発散が可能か否か、つまり発散ＯＫか否か判断する（ステップＳＴ３０５）。ここで、発散ＯＫと判断した場合には、上述の混合発散設定により、例えば現在発散中の芳香原料１２１に今回新たに発散する芳香原料１２１を混合して芳香を発散するように通信端末装置１００の動作設定を行う（ステップＳＴ３０６）。
【００３５】
一方、ステップＳＴ３０５で、発散ＯＫではない（発散ＮＧ）と判断した場合には、今回の芳香発散を保留するか否か判断する（ステップＳＴ３０７）。ここで、ユーザが今回
の芳香発散を保留する選択をした場合には、上述の発散保留設定により、今回の芳香発散を保留するように通信端末装置１００の動作設定を行う（ステップＳＴ３０８）。一方、ステップＳＴ３０７で、ユーザが今回の芳香発散を保留しない選択をした場合には、ステップＳＴ２０１での芳香発散要求を破棄して（ステップＳＴ３０９）、芳香発散処理を終了する。
【００３６】
次いで、ステップＳＴ３０６の混合発散設定、及びステップＳＴ３０８の発散保留設定が完了した後、又はステップＳＴ３０３で、前回の発散処理による芳香は発散中ではないと判断した場合には、発散事前処理を行い（ステップＳＴ３１０）、その後、発散処理を行って（ステップＳＴ３１１）、芳香発散処理を終了する。
【００３７】
このように、この芳香発散処理では、ユーザ設定による芳香発散可否の確認と、通信端末装置１００が芳香発散状態か否かを確認し、今回の発散要求に対し、芳香を発散するのか、保留するのか、発散要求を破棄するのかを決定する。
【００３８】
次に、ステップＳＴ３１０の発散事前処理について説明する。図４に、この発散事前処理の動作フローを示す。この発散事前処理では、まず、芳香発散時のユーザ設定情報を取得するためのユーザ設定取得処理を行い（ステップＳＴ４０１）、次いで、端末状態情報を取得するための端末状態取得処理を行う（ステップＳＴ４０２）。
【００３９】
ステップＳＴ４０１のユーザ設定取得処理では、芳香を発散する際のユーザ設定、例えば、発散する芳香の種類、芳香の発散量、芳香の発散方向（芳香発散部１４１の発散孔の向きにより調整される）、芳香の発散パターン、などを取得する。
【００４０】
また、ステップＳＴ４０２の端末状態取得処理では、通信端末装置１００の状態、例えば、携帯端末本体１００Ｂのスタイル（開閉状態）、原料蓄積部１２０の芳香原料１２１の残量、携帯端末本体１００Ｂの周辺の環境（周辺情報）、などをセンシング部１５０の各センサの検出結果から取得する。
【００４１】
次いで、ステップＳＴ４０２の端末状態取得処理が完了した後、センシング部１５０の芳香センサ１５１が起動しているか否か判断する（ステップＳＴ４０３）。ここで、芳香センサ１５１が起動していると判断した場合には、携帯端末本体１００Ｂの近傍に漂っている匂いの種類や移動方向などの芳香情報を取得するための端末周辺の芳香情報取得処理を行う（ステップＳＴ４０４）。そして、この端末周辺の芳香情報取得処理で取得した芳香情報から、芳香の発散が可能か否か判断する（ステップＳＴ４０５）。
【００４２】
ステップＳＴ４０５で、芳香の発散が可能と判断した場合、又はステップＳＴ４０３で芳香センサ１５１が起動していないと判断した場合には、携帯端末本体１００Ｂの近傍に漂っている匂いの消臭が必要か否か判断する（ステップＳＴ４０６）。ここで、消臭が必要と判断した場合には、発散抑止部１１０の送風部１１１、吸引部１１２、消臭剤噴射部１１３のうち、ユーザが選択した少なくとも１つを動作させて、携帯端末本体１００Ｂの近傍に漂っている匂いを消臭するための消臭処理を行う（ステップＳＴ４０７）。そして、この消臭処理が完了した後、又はステップＳＴ４０６で消臭が不要と判断した場合には、原料蓄積部１２０の複数の芳香原料１２１の中からユーザが設定した芳香を選択するための芳香選択処理を行う（ステップＳＴ４０８）。
【００４３】
次いで、ステップＳＴ４０８の芳香選択処理が完了した後、ステップＳＴ３０８の発散保留設定が行われているか否か判断する（ステップＳＴ４０９）。ここで、発散保留設定が行われていないと判断した場合には、ステップＳＴ３０６の混合発散設定で設定された混合発散の有無を判断する（ステップＳＴ４１０）。
【００４４】
ステップＳＴ４１０で、混合発散ありと判断した場合には、複数の芳香原料１２１の中から選択した複数の香料を、どのような比率で混合するかという混合条件（混合パラメータ）を設定するための香料混合パラメータ設定処理を行う（ステップＳＴ４１１）。そして、この香料混合パラメータ設定処理が完了した後、又はステップＳＴ４１０で混合発散なしと判断した場合には、ユーザ設定による芳香の発散パターンの有無を判断する（ステップＳＴ４１２）。
【００４５】
ステップＳＴ４１２で、発散パターンありと判断した場合には、この発散パターンに対応する芳香原料１２１の発散／停止のタイミングや発散間隔などを設定するためのタイマー設定処理を行う（ステップＳＴ４１３）。そして、このタイマー設定処理が完了した後、又はステップＳＴ４１２で発散パターンなしと判断した場合には、発散する香料の発散量制限の有無を判断する（ステップＳＴ４１４）。
【００４６】
ここで、発散する芳香原料１２１の残量が少なかったり、端末周辺の環境が多量の芳香発散に適さなかったりして、ステップＳＴ４１４で発散量制限ありと判断した場合には、芳香の発散量のパラメータを更新するための芳香発散量パラメータ更新処理を行う（ステップＳＴ４１５）。そして、この芳香発散量パラメータ更新処理が完了した後、又はステップＳＴ４１４で発散量制限なしと判断した場合には、方向の出力先の制限の有無を判断する（ステップＳＴ４１６）。
【００４７】
ここで、芳香の発散方向が好ましくなく、ステップＳＴ４１６で出力先制限ありと判断した場合には、芳香の出力先のパラメータを更新するための芳香出力先パラメータ更新処理を行う（ステップＳＴ４１７）。そして、この芳香出力先パラメータ更新処理が完了した後、又はステップＳＴ４１６で出力先制限なしと判断した場合には、上述した各種の設定パラメータによる動作を処理するための各種設定パラメータ動作処理を行う（ステップＳＴ４１８）。
【００４８】
一方、ステップＳＴ４０５で、発散不可能と判断した場合には、ステップＳＴ４０４で取得した端末周辺の芳香取得情報を保持するための芳香取得情報フラグ設定を行う（ステップＳＴ４１９）。そして、この芳香取得情報フラグ設定、又はステップＳＴ４１８の各種設定パラメータ動作処理、又はステップＳＴ４０９で発散保留設定ありと判断した場合には、通信端末装置１００の周辺情報を再取得するか否か判断する（ステップＳＴ４２０）。ここで、周辺情報を再取得しないと判断した場合には、上述の発散事前処理を終了する。一方、周辺情報を再取得すると判断した場合には、タイマー１８０によるタイマー制御を行い（ステップＳＴ４２１）、芳香センサ１５１の起動の有無を判断するステップＳＴ４０３以下の動作を所定のタイミングで繰り返す。
【００４９】
なお、ステップＳＴ４０５で発散不可と判断した場合、つまり、端末周辺の情報を取得し、取得した情報から芳香発散による着信通知等が適さないと判断した場合、例えばユーザが飲食店等の匂いのきつい場所にいるときなどには、任意の時間間隔で再度、端末の周辺情報を取得し、芳香発散のタイミングを窺うか、あるいは芳香の発散要求を破棄する。
【００５０】
また、ステップＳＴ４０９で発散保留設定ありと判断した場合は、保留条件が解除されるまで、もしくは発散要求が破棄されるまで、任意の時間間隔で端末状態及び端末の周辺情報を取得し、芳香の発散処理を待つ。
【００５１】
次に、ステップＳＴ３１１の発散処理について説明する。図５に、ステップＳＴ３１１の発散処理の動作フローを示す。この発散処理では、まず、携帯端末本体１００Ｂの芳香発散部１４１から発散する芳香の発散方法を決定するための発散方法決定処理を行う（ス
テップＳＴ５０１）。そして、この発散方法決定処理が完了した後、芳香の発散を継続するか否か判断する（ステップＳＴ５０２）。
【００５２】
ステップＳＴ５０２で、芳香の発散を継続すると判断した場合には、発散する芳香の種別を変更するか否か判断する（ステップＳＴ５０３）。ここで、芳香の種別を変更すると判断した場合には、原料蓄積部１２０の芳香原料１２１の種類を変更するための芳香原料変更処理を行う（ステップＳＴ５０４）。そして、この芳香原料変更処理が完了した後、又はステップＳＴ５０３で芳香の種別を変更しないと判断した場合には、発散する芳香量を変更するか否か判断する（ステップＳＴ５０５）。
【００５３】
ステップＳＴ５０５で、芳香量を変更すると判断した場合には、発散する芳香量を変更するための芳香量変更処理をおこなう（ステップＳＴ５０６）。そして、この芳香量変更処理が完了した後、又はステップＳＴ５０５で芳香量を変更しないと判断した場合には、発散する芳香の出力先を変更するか否か判断する（ステップＳＴ５０７）。
【００５４】
ステップＳＴ５０７で、芳香の出力先を変更すると判断した場合には、発散する芳香の出力先を変更するための芳香出力先変更処理をおこなう（ステップＳＴ５０８）。そして、この芳香出力先変更処理が完了した後、又はステップＳＴ５０７で芳香の出力先を変更しないと判断した場合には、芳香の発散パターンを変更するか否か判断する（ステップＳＴ５０９）。
【００５５】
ステップＳＴ５０９で、芳香の発散パターンを変更すると判断した場合には、発散する芳香の発散パターンを変更するための発散パターン変更処理をおこなう（ステップＳＴ５１０）。そして、この発散パターン変更処理が完了した後、又はステップＳＴ５０９で芳香の発散パターンを変更しないと判断した場合には、通信端末装置１００の芳香の状態を更新するための芳香状態更新処理を行う（ステップＳＴ５１１）。
【００５６】
次いで、ステップＳＴ５１１の芳香状態更新処理が完了した後、通知部１４０の芳香発散部１４１の発散孔から芳香を出力するための芳香出力処理を行う（ステップＳＴ５１２）。なお、この芳香出力処理では、芳香の発散中においても、定期的に芳香の発散状態と端末の周辺情報を取得し、任意のタイミングで、芳香種別、芳香量、芳香出力先、発散パターン等を変更することが可能になっている。
【００５７】
そして、ステップＳＴ５１２の芳香出力処理が完了した後、通信端末装置１００の周辺情報を再取得するか否か判断する（ステップＳＴ５１３）。ここで、周辺情報を再取得しないと判断した場合には、上述の発散処理を終了し、周辺情報を再取得すると判断した場合には、ステップＳＴ５０１の端末状態更新処理に戻って、上述の発散処理を繰り返す。
【００５８】
一方、ステップＳＴ５０２で、芳香の発散を継続しないと判断した場合には、通信端末装置１００が芳香の発散を保留するか否か判断する（ステップＳＴ５１４）。ここで、発散保留すると判断した場合には、タイマー１８０によるタイマー処理を行った後（ステップＳＴ５１５）、ステップＳＴ５０１の端末状態更新処理に戻って、上述の発散処理を繰り返す。なお、ステップＳＴ５１５のタイマー処理は、事前処理ではなく、上述した一連の発散処理の中でのタイマー制御である。
【００５９】
また、ステップＳＴ５０２で、芳香の発散を継続しないと判断し、かつステップＳＴ５１４で、通信端末装置１００が芳香の発散を保留しないと判断した場合には、芳香の発散を停止（抑止）するための芳香発散停止（抑止）処理を行った後（ステップＳＴ５１６）、ステップＳＴ５１３に移行して通信端末装置１００の周辺情報を再取得するか否か判断する。
【００６０】
次に、ステップＳＴ５１６の芳香発散停止（抑止）処理について説明する。図６に、この芳香発散停止（抑止）処理の動作フローを示す。この芳香発散（抑止）処理では、まず、芳香の発散の有無を判断する（ステップＳＴ６０１）。ここで、芳香の発散ありと判断した場合には、発散している芳香の抑止方法を選択するための抑止方法取得処理を行う（ステップＳＴ６０２）。この抑止方法取得処理で取得可能な抑止方法としては、（１）消臭処理、（２）送風処理、（３）吸引処理、（４）放置処理、がある。
【００６１】
この芳香発散停止（抑止）処理では、まず、ステップＳＴ６０２の抑止方法取得処理で消臭処理を選択したか否か判断する（ステップＳＴ６０３）。ここで、消臭処理を選択したと判断した場合には、発散抑止部１１０の消臭剤噴射部１１３により芳香を抑止する方法を選択し、消臭剤噴射口から消臭剤１２３を噴射して、発散している芳香を消臭するための消臭処理を行う（ステップＳＴ６０４）。
【００６２】
次いで、ステップＳＴ６０４の消臭処理が完了した後、又はステップＳＴ６０３で消臭処理を選択しないと判断した場合には、ステップＳＴ６０２の抑止方法取得処理で送風処理を選択したか否か判断する（ステップＳＴ６０５）。ここで、送風処理を選択したと判断した場合には、発散抑止部１１０の送風部１１１により芳香を抑止する方法を選択し、送風器（ファン）を駆動して、発散している芳香を吹き飛ばすための送風処理を行う（ステップＳＴ６０６）。
【００６３】
次いで、ステップＳＴ６０６の送風処理が完了した後、又はステップＳＴ６０５で送風処理を選択しないと判断した場合には、ステップＳＴ６０２の抑止方法取得処理で吸引処理を選択したか否か判断する（ステップＳＴ６０７）。ここで、吸引処理を選択したと判断した場合には、発散抑止部１１０の吸引部１１２により芳香を抑止する方法を選択し、吸引器を駆動して、発散している芳香を吸い込むための吸引処理を行う（ステップＳＴ６０８）。
【００６４】
次いで、ステップＳＴ６０８の吸引処理が完了した後、又はステップＳＴ６０７で吸引処理を選択しないと判断した場合には、ステップＳＴ６０２の抑止方法取得処理で放置処理を選択したか否か判断する（ステップＳＴ６０９）。ここで、放置処理を選択したと判断した場合には、発散している芳香が自然に消失するまで待つ抑止方法を選択し、発散している芳香を自然に消失させる放置処理を行う（ステップＳＴ６１０）。
【００６５】
そして、ステップＳＴ６１０の放置処理が完了した後、又はステップＳＴ６０９で放置処理を選択しないと判断した場合、又はステップＳＴ６０１で芳香の発散なしと判断した場合には、通信端末装置１００の周辺情報を再取得するか否か判断する（ステップＳＴ６１１）。ここで、周辺情報を再取得しないと判断した場合には、上述の芳香発散停止（抑止）処理を終了し、周辺情報を再取得すると判断した場合には、ステップＳＴ６０１の芳香の発散有無の判断に戻って、上述の芳香発散停止（抑止）処理を繰り返す。
【００６６】
次に、ステップＳＴ５０１の発散方法決定処理について説明する。図７に、この発散方法決定処理の動作フローを示す。この発散方法決定処理では、まず、携帯端末本体１００Ｂの周囲の情報を取得するか否か判断する（ステップＳＴ７０１）。
【００６７】
ステップＳＴ７０１で携帯端末本体１００Ｂの周囲の情報を取得すると判断した場合には、携帯端末本体１００Ｂの周囲の風速及び風向を計測するための風速・風向計測処理を行う（ステップＳＴ７０２）。この携帯端末本体１００Ｂの周囲の風速及び風向は、センシング部１５０のマイク１５４で集音したノイズに基づいて計測することができる。これにより、携帯端末本体１００Ｂの周囲の風速や風向が芳香発散に適しているか否かを確認
できるとともに、芳香の発散方法を決定するための情報を取得することができる。
【００６８】
次いで、携帯端末本体１００Ｂの周囲の温度を計測するため温度計測処理を行う（ステップＳＴ７０３）。この携帯端末本体１００Ｂの周囲の温度は、図示しない温度センサにより計測することができる。この温度計測処理を行うことにより、携帯端末本体１００Ｂの芳香の発散対象であるユーザが携帯端末本体１００Ｂの近くに居るか否か判断することができる。
【００６９】
次いで、携帯端末本体１００Ｂの周囲の芳香濃度を計測するため芳香濃度計測処理を行う（ステップＳＴ７０４）。この携帯端末本体１００Ｂの周囲の芳香濃度は、センシング部１５０の芳香センサ１５１の芳香検出レベルに基づいて計測することができる。これにより、携帯端末本体１００Ｂの周囲に、次に発散する芳香と混ざった場合に悪臭となるおそれがある芳香が漂っているか否かを確認できるとともに、芳香の最適な発散方法を決定するための情報を取得することができる。
【００７０】
そして、上記の風速・風向計測処理、温度計測処理及び芳香濃度計測処理が完了した後、またはステップＳＴ７０１で携帯端末本体１００Ｂの周囲の情報を取得しないと判断した場合には、携帯端末本体１００Ｂの周囲の情報を登録するための周囲情報登録処理を行う（ステップＳＴ７０５）。この周囲情報は、携帯端末本体１００Ｂのメモリ１９０に格納される。
【００７１】
次いで、芳香の発散対象である噴射対象（例えば、ユーザの顔）を検索するか否かを判断する（ステップＳＴ７０６）。ここで、芳香の発散対象であるユーザを検索すると判断した場合には、センサ起動処理を行い、センシング部１５０のカメラ１５３を起動する（ステップＳＴ７０７）。そして、カメラ１５３が芳香発散する対象物を確認したか否か判断する（ステップＳＴ７０８）。
【００７２】
ステップＳＴ７０８で、カメラ１５３が対象物を確認したと判断した場合には、カメラ１５３が撮像している対象物の大きさから携帯端末本体１００Ｂの芳香発散部１４１と対象物との距離を計測するための距離計測処理を行う（ステップＳＴ７０９）。次いで、カメラ１５３が撮像している対象物の角度から対象物に対する携帯端末本体１００Ｂの芳香発散部１４１の発散孔の芳香発散角度を計測するための角度計測処理を行う（ステップＳＴ７１０）。
【００７３】
そして、上記の距離計測処理及び角度計測処理が完了した後、またはステップＳＴ７０６で噴射対象を検索しないと判断した場合には、芳香を発散する対象物の情報を登録するための対象物情報登録処理を行う（ステップＳＴ７１１）。この対象物情報登情報は、携帯端末本体１００Ｂのメモリ１９０に格納される。
【００７４】
次いで、芳香の出力制御を行うか否か判断する（ステップＳＴ７１２）。ここで、芳香の出力制御を行うと判断した場合には、まず、ステップＳＴ７０５で登録した周囲情報、及びステップＳＴ７１１で登録した対象物情報を取得する（メモリ１９０から読み出す）ための周囲／対象物情報取得処理を行う（ステップＳＴ７１３）。
【００７５】
次いで、開閉式の携帯端末本体１００Ｂの開閉状態をセンシング部１５０の光センサ１５５で検出して、端末スタイル（形状）情報を取得するための端末スタイル（形状）情報取得処理を行う（ステップＳＴ７１４）。
【００７６】
次いで、発散装置本体１００Ａの原料蓄積部１２０に配設されている芳香原料残量センサ（不図示）により、芳香原料１２１の残量を確認するための芳香残量確認処理を行う（
ステップＳＴ７１５）。
【００７７】
そして、上記の周囲／対象物情報取得処理、端末スタイル（形状）情報取得処理及び芳香残量確認処理が完了した後、芳香発散部１４１の発散孔が制御可能な状態であるか否か判断する（ステップＳＴ７１６）。ここで、芳香発散部１４１の発散孔が制御可能であると判断した場合には、芳香発散部１４１の発散孔が前述の対象物に向けて芳香を発散するように、芳香発散部１４１の発散孔の向きを移動するための発散孔の移動制御を行う（ステップＳＴ７１７）。また、この場合には、芳香発散部１４１の発散孔の形状が芳香の発散速度や発散範囲に適した形状になるように、発散孔の拡縮制御を行う（ステップＳＴ７１８）。
【００７８】
次いで、上記の発散孔の移動制御及び発散孔の拡縮制御が完了した後、またはステップＳＴ７１６で芳香発散部１４１の発散孔が制御可能でないと判断した場合には、芳香発散部１４１の発散孔から発散する芳香の発散タイプを、スプレータイプまたは拡散タイプの何れか適している発散タイプに設定するための発散タイプ設定を行う（ステップＳＴ７１９）。
【００７９】
次いで、発散する芳香の発散量を設定するための発散量設定（ステップＳＴ７２０）、発散する芳香の発散速度を設定するための発散速度設定（ステップＳＴ７２１）、及び発散する芳香の発散時間を設定するための発散時間設定（ステップＳＴ７２２）を行う。
【００８０】
そして、上記の発散量設定、発散速度設定及び発散時間設定が完了した後、またはステップＳＴ７１２で芳香出力制御をしないと判断した場合には、上述の設定による芳香の発散方法をメモリ１９０に登録するための発散方法登録処理を行い（ステップＳＴ７２３）、この処理完了後に発散方法決定処理を終了する。
【００８１】
以上のように、本例の通信端末装置１００によれば、センシング部１５０の芳香センサ１５１、カメラ１５３、マイク１５４、光センサ１５５、及び位置センサ１５６等で携帯端末本体１００Ｂの周囲の状況を検出し、このセンシング部１５０で検出した携帯端末本体１００Ｂの環境情報に基づいて、制御部１３０の発散／消臭制御１３１により芳香発散部１４１の芳香発散制御を行う。これにより、携帯端末本体１００Ｂの周囲の状況に応じて、芳香の無駄な発散や端末周囲への影響を極力抑えることができる。
【００８２】
例えば、この通信端末装置１００では、カメラ１５３により、特定ターゲット（ユーザ）が確認できた場合は、そのターゲットに対し、芳香をスプレー式で発射し、ターゲットが確認できなかった場合は芳香を拡散放出させることが可能になる。
【００８３】
また、この通信端末装置１００では、芳香センサ１５１、マイク１５４、及び位置センサ１５６等により検出した特定ターゲットとの方位、距離、風向等から、芳香の発射速度(強度)、拡散範囲を制御することが可能となる。
【００８４】
また、この通信端末装置１００では、光センサ１５５の検出結果に基づいて、芳香発散部１４１の噴出孔を携帯端末本体１００Ｂの状態や周囲の状況によって制御することが可能となる。
【００８５】
また、この通信端末装置１００では、芳香発散部１４１の複数の噴出孔を設定および制御することが可能となる。例えば、芳香発散部１４１の噴出孔を任意の状態に固定及び可動させることが可能となる。例えば、芳香発散部１４１の噴出孔の１つは固定でもう１つは可動といった組合せも可能となる。また、芳香発散部１４１の複数の噴出孔を、任意のルールに基づいて連動するように発散制御を行うことが可能となる。
【００８６】
また、この通信端末装置１００では、携帯端末本体１００Ｂの開閉状態などの形状(スタイル)に応じて、芳香発散部１４１の噴出孔を自動的に選択することが可能となる。つまり、携帯端末本体１００Ｂが開いた状態と閉じた状態で、芳香の噴出先を携帯端末本体１００Ｂの外側または手前側の何れかに切替えることが可能となる。これにより、例えば、ユーザ操作中は、芳香発散部１４１の噴出孔を、端末正面の噴出孔に切替えることが可能となる。
【００８７】
また、この通信端末装置１００では、携帯端末本体１００Ｂの状態に応じて、芳香発散部１４１の噴出孔の形状を自動的に変化させるように制御することが可能となる。これにより、例えば、芳香発散部１４１の形状を、芳香がゆっくり拡散するように変形させることが可能となる。
【００８８】
また、この通信端末装置１００では、着信及びアラーム等のユーザ通知を定期的(間欠動作)な芳香発散で行うことで通知することが可能となる。また、この通信端末装置１００は、芳香原料１２１を、芳香の発散中でも交換することが可能である。なお、この通信端末装置１００は、芳香原料１２１、発煙（スモーク）原料１２２などを格納するための予備容器を備えていてもよい。
【００８９】
また、この通信端末装置１００では、原料蓄積部１２０の芳香原料１２１の残量を検出し、検出した芳香原料１２１の残量情報から、芳香の拡散距離、発散エリアを制御することが可能となる。また、この通信端末装置１００では、検出した芳香原料１２１の残量情報から、原料蓄積部１２０の残りの芳香原料１２１の発散回数を算出し、これを表示部１４４に表示してユーザに報知することが可能となる。また、この通信端末装置１００では、検出した芳香原料１２１の残量情報から、芳香原料１２１を発注するための注文サイトへ無線部１６０により自動的にアクセスして、所望の芳香原料１２１を購入することが可能となる。
【００９０】
また、この通信端末装置１００では、制御部１３０にて、携帯端末本体１００Ｂの状態及び周辺環境(センシング部１５０からの情報収集)を把握し、発散／消臭制御部１３１にて、芳香のポイント発射、もしくは芳香の拡散といった芳香放出方法の制御、及び芳香発散部１４１の噴出孔の位置や形状を制御し、芳香を効率よく発散させることができる。
【００９１】
また、この通信端末装置１００では、芳香の発散を任意の期間で間欠的に繰り返したり、芳香の発散中に任意の時間で発散を抑止したりすることが可能になる。なお、ここで、芳香の発散を抑止するようにした場合には、着信などの通知を、芳香の発散の代わりに、発音部１４３、表示部１４４、振動部１４５、発光部１４６などを動作させて行うようにしている。これにより、この通信端末装置１００では、芳香の発散が抑止されていても、着信等を“着メロ”や“バイブレーション”によって通知することができる。一方、芳香の発散を任意の期間で間欠的に繰り返す場合には、前回発散した芳香を、消臭剤１２３（スモークの場合は消煙剤１２４）を放出して消臭した後、次の芳香を発散することも可能である。これにより、前回発散した芳香と次の芳香との混合を回避することができる。
【００９２】
また、この通信端末装置１００では、携帯端末本体１００Ｂの周囲の芳香を、センシング部１５０の芳香センサ１５１で検出し、これを予め設定した発散条件と比較して、携帯端末本体１００Ｂの環境が芳香の発散に適していないと判断した場合に、芳香の発散を停止することが可能である。これにより、この通信端末装置１００では、周囲の芳香濃度が予め設定した基準範囲外の場合、例えば携帯端末本体１００Ｂの周囲に強風が吹いていて芳香を発散してもその効果が得られない場合や、携帯端末本体１００Ｂの周囲の芳香特性が次要求で発散する芳香と相性が悪い場合等に、芳香発散を停止することができる。なお
、前回発散した芳香と次要求で発散する芳香との相性が悪い場合には、前回発散した芳香と相性の良い代替芳香を発散して、芳香の混合による悪臭の発生を回避するようにしてもよい。
【００９３】
また、この通信端末装置１００では、携帯端末本体１００Ｂの周囲の芳香を、センシング部１５０の芳香センサ１５１で検出して、芳香の発散量を制御することが可能である。これにより、この通信端末装置１００では、携帯端末本体１００Ｂの周囲の芳香濃度が予め設定した基準値に達した場合に、自動的に芳香の発散を停止することができる。また、この通信端末装置１００では、携帯端末本体１００Ｂの周囲の芳香濃度が基準値以下になった場合に、自動的に芳香の発散を再開することもできる。
【００９４】
また、この通信端末装置１００では、携帯端末本体１００Ｂの周囲の芳香を、センシング部１５０の芳香センサ１５１で検出し、消臭剤噴射部１１３により消臭剤１２３を噴射して、検出した芳香を消臭することが可能である。これにより、この通信端末装置１００では、芳香センサ１５１で検出した芳香を消臭した後に、次の芳香を自動的に発散することができ、前回発散した芳香と次に発散する芳香との混合を回避することができる。このとき、消臭剤噴射部１１３の消臭剤１２３の噴射時間は、携帯端末本体１００Ｂの周囲の芳香濃度に応じて制御することが可能である。これにより、発散した芳香の消臭時間を制御することができる。
【００９５】
また、この通信端末装置１００では、例えばユーザＩ／Ｆ１７０のキー押下等の特定の操作や、携帯端末本体１００Ｂの電池残量判定等の制御と連動して、芳香の発散要求を停止することが可能である。これにより、この通信端末装置１００では、芳香のマナーモードが可能になり、例えば、センシング部１５０の芳香センサ１５１が特定の芳香を検出した場合も、それ以降の芳香発散を停止することができる。なお、この場合には、ユーザＩ／Ｆ１７０の特定のキー押下等による所定の解除手順や、タイマー１８０やアラーム等による所定の経過時間によって、芳香発散の抑止を解除することが可能である。
【００９６】
また、この通信端末装置１００では、所定の芳香原料１２１の残量が予め設定した蓄積量以下に達した場合に、その芳香の発散を抑止したり、その芳香の噴射量を調整したりすることが可能である。なお、この場合には、着信等を、残量が十分にある違う種類の芳香や、発音部１４３の音、振動部１４５の振動、発光部１４６の光等により代替通知するようにしてもよい。また、この場合には、着信等の芳香による通知可否をユーザ選択で行うようにしてもよい。さらに、この場合には、芳香の残量情報及び芳香原料１２１の取替え時期を、発音部１４３の音、表示部１４４の画面表示、振動部１４５の振動、発光部１４６の光等によりユーザに通知するようにしてもよい。
【００９７】
また、この通信端末装置１００においては、制御部１３０の発散／消臭制御部１３１により、通知部１４０の芳香発散部１４１、及び発散抑止部１１０の送風部１１１、吸引部１１２、消臭剤噴射部１１３を制御して、原料蓄積部１２０の芳香原料１２１の発散制御及び消臭制御を行う場合と同様に、制御部１３０の発煙／消煙制御部１３２により、通知部１４０の発煙部１４２、及び発散抑止部１１０の送風部１１１、吸引部１１２を制御することで、原料蓄積部１２０の発煙（スモーク）原料１２２の発煙制御及び消煙制御を行うことが可能である。このように、着信通知やアラーム等のユーザ通知をスモークの発煙制御で行う場合には、発音部１４３の音、表示部１４４の画面表示、振動部１４５の振動、発光部１４６の光等と、スモークの発煙とが同期するように、発煙タイミングを調整するようにしてよい。また、この場合には、芳香を発散する際に、芳香の発散をスモークの発煙で通知するようにしてもよい。さらに、この場合には、発散する芳香の種類によって、発煙するスモークの色を変化させるようにしてもよい。
【００９８】
また、この通信端末装置１００においては、光センサ１５５の検出光量に応じて芳香やスモークの発散を抑止することができる。従って、この通信端末装置１００では、例えば、ユーザが就寝している夜間のように芳香やスモークが無駄に発散されるおそれがあるか否か、映画館のように芳香やスモークの発散が他者の迷惑になるおそれがあるか否かなどを、光センサ１５５の検出光量で判断して、芳香やスモークの無駄な発散を防止することができる。
【００９９】
また、この通信端末装置１００においては、マイク１５４が検出したノイズレベルに応じて芳香やスモークの発散を抑止することができる。従って、この通信端末装置１００では、例えば、強風時などのように芳香やスモークの発散が無意味になるような場合に、端末周辺の風速をマイク１５４のノイズレベルで検出して、芳香やスモークの無駄な発散を防止することができる。
【０１００】
また、この通信端末装置１００においては、位置センサ１５６の検出位置に応じて芳香やスモークの発散を抑止することができる。従って、この通信端末装置１００では、例えば、ＧＰＳ機能を用いて位置センサ１５６で検出した携帯端末本体１００Ｂの現在位置から、芳香やスモークの発散が可能か否かを判断して、芳香やスモークの発散制御を行うことができる。
【０１０１】
また、この通信端末装置１００においては、カメラ１５３が撮像した発散対象に向けて芳香を発散するように芳香の発散方向を調整することができる。従って、この通信端末装置１００では、その発散方向調整機能により芳香の発散対象を絞り込むことができ、芳香によるユーザへの着信通知を芳香を無駄に発散することなく確実に行うことができる。
【産業上の利用可能性】
【０１０２】
本発明に係る通信端末装置は、状況に応じて芳香の無駄な発散や端末周囲への影響を回避することができるので、芳香発散機能を備えた携帯電話機等の通信端末装置として有用である。
【図面の簡単な説明】
【０１０３】
【図１】本発明の一実施の形態に係る通信端末装置の構成を示すブロック図
【図２】本発明の一実施の形態に係る通信端末装置の芳香制御要求処理の動作を示すフローチャート
【図３】本発明の一実施の形態に係る通信端末装置の芳香発散処理の動作を示すフローチャート
【図４】本発明の一実施の形態に係る通信端末装置の発散事前処理の動作を示すフローチャート
【図５】本発明の一実施の形態に係る通信端末装置の発散処理の動作を示すフローチャート
【図６】本発明の一実施の形態に係る通信端末装置の芳香発散停止（抑止）処理の動作を示すフローチャート
【図７】本発明の一実施の形態に係る通信端末装置の発散方法決定処理の動作を示すフローチャート
【手続補正３】
【補正対象書類名】図面
【補正対象項目名】全図
【補正方法】変更
【補正の内容】
【図１】
2009001431.tif 000010
【図２】
2009001431.tif 000011
【図３】
2009001431.tif 000012
【図４】
2009001431.tif 000013
【図５】
2009001431.tif 000014
【図６】
2009001431.tif 000015
【図７】
2009001431.tif 000016
【国際調査報告】
2009001431.tif 000017
2009001431.tif 000018
2009001431.tif 000019
2009001431.tif 000020
2009001431.tif 000021
2009001431.tif 000022